(57)【特許請求の範囲】
【請求項１】
変調およびコーディング方式（ＭＣＳ）を用いた受信デバイスにおける受信を可能にするためのテレビジョンホワイトスペース（ＴＶＷＳ）におけるワイヤレス通信のための第１の装置であって、
テレビジョンホワイトスペース（ＴＶＷＳ）中の１つまたは複数のチャネルを介して第２の装置に異なる送信電力レベルで送信要求（ＲＴＳ）メッセージのシーケンスを送信するように構成された送信機と、ここにおいて、前記ＲＴＳメッセージは、前記ＭＣＳの指示を備える送信電力制御（ＴＰＣ）要求メッセージを含む、
前記送信電力レベルのうちの特定の１つに対応する前記ＲＴＳメッセージのうちの少なくとも１つに応答して送信可（ＣＴＳ）メッセージが受信されたかどうかを判断するように構成された処理システムと
を備え、
前記送信機は、第１のチャネルを使用してＲＴＳメッセージの前記シーケンスを送信することと、前記ＣＴＳメッセージが受信されない場合、第２のチャネルを使用してＲＴＳメッセージの前記シーケンスを送信することとを行うように構成され、
前記処理システムが、前記第１の装置の近傍における任意の固定装置に関するクエリを送ることと、前記第２の装置のロケーション、前記第２の装置の動作チャネル、または前記第２の装置の送信電力レベルのうちの少なくとも１つを備える前記クエリに対する応答を受信することとによって、前記第２の装置を識別するように構成され、
前記クエリはブロードキャスト受信アドレスおよび譲歩を引き起こしたパケットの送信時間に関係するタイムスタンプを含む、第１の装置。
【請求項２】
前記送信電力レベルがＲＴＳメッセージの前記シーケンスにおいて増加している、請求項１に記載の第１の装置。
【請求項３】
前記送信電力レベルのうちの前記特定の１つが、前記ＲＴＳメッセージのうちの１つを前記第２の装置に送信するための、およびそれに応答して前記ＣＴＳメッセージを受信するための最小送信電力レベルを備える、請求項１に記載の第１の装置。
【請求項４】
前記送信機が、前記送信電力レベルのうちの前記特定の１つに基づいて、データ、後続のＲＴＳメッセージ、または後続のＣＴＳメッセージのうちの少なくとも１つを送信するように構成された、請求項１に記載の第１の装置。
【請求項５】
前記処理システムが、前記第２の装置を識別するように構成された、請求項１に記載の第１の装置。
【請求項６】
前記クエリに対する前記応答が、前記第１の装置の前記近傍における第２の装置のリストを備え、前記リストが、前記第２の装置のロケーション、動作チャネル、または送信電力レベルを備える、請求項５に記載の第１の装置。
【請求項７】
変調およびコーディング方式（ＭＣＳ）を用いた受信デバイスにおける受信を可能にするためのテレビジョンホワイトスペース（ＴＶＷＳ）におけるワイヤレス通信のための方法であって、
テレビジョンホワイトスペース（ＴＶＷＳ）中の１つまたは複数のチャネルを介して装置に異なる送信電力レベルで送信要求（ＲＴＳ）メッセージのシーケンスを送信することと、ここにおいて、前記ＲＴＳメッセージは、前記ＭＣＳの指示を備える送信電力制御（ＴＰＣ）要求メッセージを含む、
前記送信電力レベルのうちの特定の１つに対応する前記ＲＴＳメッセージのうちの少なくとも１つに応答して送信可（ＣＴＳ）メッセージが受信されたかどうかを判断することと
を備え、前記シーケンスを送信することが、第１のチャネルを使用してＲＴＳメッセージの前記シーケンスを送信することと、前記ＣＴＳメッセージが受信されない場合、第２のチャネルを使用してＲＴＳメッセージの前記シーケンスを送信することとを備え、
前記方法が、前記装置を識別することをさらに備え、
前記装置を識別することが、
近くの任意の固定装置に関するクエリを送ることと、
前記装置のロケーション、前記装置の動作チャネル、または前記装置の送信電力レベルのうちの少なくとも１つを備える前記クエリに対する応答を受信することと
を備え、
前記クエリはブロードキャスト受信アドレスおよび譲歩を引き起こしたパケットの送信時間に関係するタイムスタンプを含み、それにより、第２の装置は前記クエリ中のタイムスタンプが自己の送信時間と一致する場合、前記クエリに対する応答を第１の装置に送信する、方法。
【請求項８】
前記送信電力レベルがＲＴＳメッセージの前記シーケンスにおいて増加している、請求項７に記載の方法。
【請求項９】
前記送信電力レベルのうちの前記特定の１つが、前記ＲＴＳメッセージのうちの１つを前記装置に送信するための、およびそれに応答して前記ＣＴＳメッセージを受信するための最小送信電力レベルを備える、請求項７に記載の方法。
【請求項１０】
前記送信電力レベルのうちの前記特定の１つに基づいて、データ、後続のＲＴＳメッセージ、または後続のＣＴＳメッセージのうちの少なくとも１つを送信することをさらに備える、請求項７に記載の方法。
【請求項１１】
前記クエリに対する前記応答が、前記装置の前記近傍における固定装置のリストを備え、前記リストが、前記固定装置のロケーション、動作チャネル、または送信電力レベルを備える、請求項７に記載の方法。
【請求項１２】
変調およびコーディング方式（ＭＣＳ）を用いた受信デバイスにおける受信を可能にするためのテレビジョンホワイトスペース（ＴＶＷＳ）におけるワイヤレス通信のための第１の装置であって、
テレビジョンホワイトスペース（ＴＶＷＳ）中の１つまたは複数のチャネルを介して第２の装置に異なる送信電力レベルで送信要求（ＲＴＳ）メッセージのシーケンスを送信するための手段と、ここにおいて、前記ＲＴＳメッセージは、前記ＭＣＳの指示を備える送信電力制御（ＴＰＣ）要求メッセージを含む、
前記送信電力レベルのうちの特定の１つに対応する前記ＲＴＳメッセージのうちの少なくとも１つに応答して送信可（ＣＴＳ）メッセージが受信されたかどうかを判断するための手段と
を備え、
送信するための前記手段は、第１のチャネルを使用してＲＴＳメッセージの前記シーケンスを送信することと、前記ＣＴＳメッセージが受信されない場合、第２のチャネルを使用してＲＴＳメッセージの前記シーケンスを送信することとを行うように構成され、
前記第１の装置が、前記第２の装置を識別するための手段をさらに備え、
識別するための前記手段が、
前記第１の装置の近傍における任意の固定装置に関するクエリを送ることと、
前記第２の装置のロケーション、前記第２の装置の動作チャネル、または前記第２の装置の送信電力レベルのうちの少なくとも１つを備える前記クエリに対する応答を受信することと
を行うように構成され、
前記クエリはブロードキャスト受信アドレスおよび譲歩を引き起こしたパケットの送信時間に関係するタイムスタンプを含み、それにより、前記第２の装置は前記クエリ中のタイムスタンプが自己の送信時間と一致する場合、前記クエリに対する応答を前記第１の装置に送信する、第１の装置。
【請求項１３】
前記送信電力レベルがＲＴＳメッセージの前記シーケンスにおいて増加している、請求項１２に記載の第１の装置。
【請求項１４】
前記送信電力レベルのうちの前記特定の１つが、前記ＲＴＳメッセージのうちの１つを前記第２の装置に送信するための、およびそれに応答して前記ＣＴＳメッセージを受信するための最小送信電力レベルを備える、請求項１２に記載の第１の装置。
【請求項１５】
送信するための前記手段が、前記送信電力レベルのうちの前記特定の１つに基づいて、データ、後続のＲＴＳメッセージ、または後続のＣＴＳメッセージのうちの少なくとも１つを送信するように構成された、請求項１２に記載の第１の装置。
【請求項１６】
前記クエリに対する前記応答が、前記第１の装置の前記近傍における固定装置のリストを備え、前記リストが、前記固定装置のロケーション、動作チャネル、または送信電力レベルを備える、請求項１２に記載の第１の装置。
【請求項１７】
変調およびコーディング方式（ＭＣＳ）を用いた受信デバイスにおける受信を可能にするためのテレビジョンホワイトスペース（ＴＶＷＳ）におけるワイヤレス通信のためのコンピュータ読み取り可能な記録媒体であって、
テレビジョンホワイトスペース（ＴＶＷＳ）中の１つまたは複数のチャネルを介して装置に異なる送信電力レベルで送信要求（ＲＴＳ）メッセージのシーケンスを送信することと、ここにおいて、前記ＲＴＳメッセージは、前記ＭＣＳの指示を備える送信電力制御（ＴＰＣ）要求メッセージを含む、
前記送信電力レベルのうちの特定の１つに対応する前記ＲＴＳメッセージのうちの少なくとも１つに応答して送信可（ＣＴＳ）メッセージが受信されたかどうかを判断することと
ここにおいて、前記シーケンスを送信することが、第１のチャネルを使用してＲＴＳメッセージの前記シーケンスを送信することと、前記ＣＴＳメッセージが受信されない場合、第２のチャネルを使用してＲＴＳメッセージの前記シーケンスを送信することとを備える、
近傍における任意の固定装置に関するクエリを送ることと、前記装置のロケーション、前記装置の動作チャネル、または前記装置の送信電力レベルのうちの少なくとも１つを備える前記クエリに対する応答を受信することとによって、前記装置を識別すること
をコンピュータに実行させる命令を備え、
前記クエリはブロードキャスト受信アドレスおよび譲歩を引き起こしたパケットの送信時間に関係するタイムスタンプを含み、それにより、第２の装置は前記クエリ中のタイムスタンプが自己の送信時間と一致する場合、前記クエリに対する応答を第１の装置に送信させる、ワイヤレス通信のためのコンピュータ読み取り可能な記録媒体。
【請求項１８】
変調およびコーディング方式（ＭＣＳ）を用いた受信デバイスにおける受信を可能にするためのテレビジョンホワイトスペース（ＴＶＷＳ）におけるワイヤレス通信のためのワイヤレスノードであって、
少なくとも１つのアンテナと、
前記少なくとも１つのアンテナを介して、テレビジョンホワイトスペース（ＴＶＷＳ）中の１つまたは複数のチャネルを介して装置に異なる送信電力レベルで送信要求（ＲＴＳ）メッセージのシーケンスを送信するように構成された送信機と、ここにおいて、前記ＲＴＳメッセージは、前記ＭＣＳの指示を備える送信電力制御（ＴＰＣ）要求メッセージを含む、
前記送信電力レベルのうちの特定の１つに対応する前記ＲＴＳメッセージのうちの少なくとも１つに応答して送信可（ＣＴＳ）メッセージが受信されたかどうかを判断するように構成された処理システムと
を備え、
前記シーケンスを送信することが、第１のチャネルを使用してＲＴＳメッセージの前記シーケンスを送信することと、前記ＣＴＳメッセージが受信されない場合、第２のチャネルを使用してＲＴＳメッセージの前記シーケンスを送信することとを備え、
前記処理システムが、
近傍における任意の固定装置に関するクエリを送ることと、前記装置のロケーション、前記装置の動作チャネル、または前記装置の送信電力レベルのうちの少なくとも１つを備える前記クエリに対する応答を受信することとによって、前記装置を識別する
ようにさらに構成され、
前記クエリはブロードキャスト受信アドレスおよび譲歩を引き起こしたパケットの送信時間に関係するタイムスタンプを含む、ワイヤレスノード。
【発明の詳細な説明】
【技術分野】
【０００１】
関連出願の相互参照
本出願は、参照により本明細書に組み込まれる、２０１１年２月１６日に出願された米国仮特許出願第６１／４４３，５８７号（代理人整理番号１１１０２４Ｐ１）の利益を主張する。
【０００２】
本開示のいくつかの態様は、一般にワイヤレス通信に関し、より詳細には、テレビジョンホワイトスペース（ＴＶＷＳ：television white space）ネットワークにおいて送信電力を管理することに関する。
【背景技術】
【０００３】
ワイヤレス通信ネットワークは、ボイス、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
ワイヤレス通信システムのために要求される帯域幅要件の増加の問題に対処するために、様々な方式が開発されている。「ｗｈｉｔｅ−ｆｉ」として知られる１つの方式は、テレビジョン（ＴＶ）帯域（すなわち、ＴＶホワイトスペース）中の未使用周波数スペクトルを用いてＷｉ−Ｆｉ技術を拡張することを伴う。ＴＶホワイトスペース（ＴＶＷＳ）を使用するためのＩＥＥＥ８０２．１１規格への補正を定義するために米国電気電子技術者協会（ＩＥＥＥ）８０２．１１ａｆタスクグループが創設されている。ＩＥＥＥ８０２．１１は、（たとえば、数十メートルから数百メートルの）短距離通信用にＩＥＥＥ８０２．１１委員会によって開発されたワイヤレスローカルエリアネットワーク（ＷＬＡＮ）エアインターフェース規格のセットを示す。ただし、１ＧＨｚを下回る周波数をもつＴＶＷＳを使用することによって、ＩＥＥＥ８０２．１１ａｆは、ＴＶスペクトル中の未使用周波数によって与えられる帯域幅の増加に加えて、より大きい達成されるべき伝搬距離を与え得る。
【発明の概要】
【０００５】
本開示のいくつかの態様は、概して、テレビジョンホワイトスペース（ＴＶＷＳ）ネットワークにおいて送信電力を管理することに関係する。本明細書で説明するように送信電力を管理することによって、そのようなネットワークにおける媒体再使用が改善され得、不正使用の問題が緩和され得る。
【０００６】
本開示のいくつかの態様は、ワイヤレス通信のための第１の装置を提供する。第１の装置は、概して、異なる送信電力レベルで送信要求（ＲＴＳ：request-to-send）メッセージのシーケンスを第２の装置に送信するように構成された送信機と、送信電力レベルのうちの特定の１つに対応するＲＴＳメッセージのうちの少なくとも１つに応答して送信可（ＣＴＳ：clear-to-send）メッセージが受信されたかどうかを判断するように構成された処理システムとを含む。
【０００７】
本開示のいくつかの態様は、ワイヤレス通信のための方法を提供する。本方法は、概して、異なる送信電力レベルでＲＴＳメッセージのシーケンスを装置に送信することと、送信電力レベルのうちの特定の１つに対応するＲＴＳメッセージのうちの少なくとも１つに応答してＣＴＳメッセージが受信されたかどうかを判断することとを含む。
【０００８】
本開示のいくつかの態様は、ワイヤレス通信のための第１の装置を提供する。第１の装置は、概して、異なる送信電力レベルでＲＴＳメッセージのシーケンスを第２の装置に送信するための手段と、送信電力レベルのうちの特定の１つに対応するＲＴＳメッセージのうちの少なくとも１つに応答してＣＴＳメッセージが受信されたかどうかを判断するための手段とを含む。
【０００９】
本開示のいくつかの態様は、ワイヤレス通信のためのコンピュータプログラム製品を提供する。コンピュータプログラム製品は、概して、異なる送信電力レベルでＲＴＳメッセージのシーケンスを装置に送信することと、送信電力レベルのうちの特定の１つに対応するＲＴＳメッセージのうちの少なくとも１つに応答してＣＴＳメッセージが受信されたかどうかを判断することとを行うように実行可能な命令を有するコンピュータ可読媒体を含む。
【００１０】
本開示のいくつかの態様は、ワイヤレスノードを提供する。ワイヤレスノードは、概して、少なくとも１つのアンテナと、その少なくとも１つのアンテナを介して、異なる送信電力レベルでＲＴＳメッセージのシーケンスを装置に送信するように構成された送信機と、送信電力レベルのうちの特定の１つに対応するＲＴＳメッセージのうちの少なくとも１つに応答してＣＴＳメッセージが受信されたかどうかを判断するように構成された処理システムとを含む。
【００１１】
本開示のいくつかの態様は、ワイヤレス通信のための第１の装置を提供する。第１の装置は、概して、第１の装置によって復号され得ないパケットを第２の装置から受信するように構成された受信機と、パケットに対応する時間または持続時間のうちの少なくとも１つを判断するように構成された処理システムと、時間または持続時間のうちの少なくとも１つの指示とともにクエリを送信するように構成された送信機であって、受信機が、クエリに応答して第２の装置からメッセージを受信するように構成され、メッセージが、第２の装置をパケットのソースとして識別する、送信機とを含む。
【００１２】
本開示のいくつかの態様は、ワイヤレス通信のための方法を提供する。本方法は、概して、第１の装置によって復号され得ないパケットを第１の装置において第２の装置から受信することと、パケットに対応する時間または持続時間のうちの少なくとも１つを判断することと、時間または持続時間のうちの少なくとも１つの指示とともにクエリを送信することと、クエリに応答して第２の装置からメッセージを受信することであって、メッセージが、第２の装置をパケットのソースとして識別する、受信することとを含む。
【００１３】
本開示のいくつかの態様は、ワイヤレス通信のための第１の装置を提供する。第１の装置は、概して、第１の装置によって復号され得ないパケットを第２の装置から受信するための手段と、パケットに対応する時間または持続時間のうちの少なくとも１つを判断するための手段と、時間または持続時間のうちの少なくとも１つの指示とともにクエリを送信するための手段であって、受信するための手段が、クエリに応答して第２の装置からメッセージを受信するように構成され、メッセージが、第２の装置をパケットのソースとして識別する、送信するための手段とを含む。
【００１４】
本開示のいくつかの態様は、ワイヤレス通信のためのコンピュータプログラム製品を提供する。コンピュータプログラム製品は、概して、第１の装置によって復号され得ないパケットを第１の装置において第２の装置から受信することと、パケットに対応する時間または持続時間のうちの少なくとも１つを判断することと、時間または持続時間のうちの少なくとも１つの指示とともにクエリを送信することと、クエリに応答して第２の装置からメッセージを受信することであって、メッセージが、第２の装置をパケットのソースとして識別する、受信することとを行うように実行可能な命令を有するコンピュータ可読媒体を含む。
【００１５】
本開示のいくつかの態様は、ワイヤレスノードを提供する。ワイヤレスノードは、概して、少なくとも１つのアンテナと、ワイヤレスノードによって復号され得ないパケットを装置から少なくとも１つのアンテナを介して受信するように構成された受信機と、パケットに対応する時間または持続時間のうちの少なくとも１つを判断するように構成された処理システムと、少なくとも１つのアンテナを介して、時間または持続時間のうちの少なくとも１つの指示とともにクエリを送信するように構成された送信機であって、受信機が、クエリに応答して装置からメッセージを受信するように構成され、メッセージが、装置をパケットのソースとして識別する、送信機とを含む。
【００１６】
本開示のいくつかの態様は、ワイヤレス通信のための第１の装置を提供する。第１の装置は、概して、ある持続時間をもつ特定の時間においてパケットを送信するように構成された送信機と、パケットのためのクエリ時間またはクエリ持続時間のうちの少なくとも１つの指示とともにクエリを第２の装置から受信するように構成された受信機と、処理システムとを含む。処理システムは、一般に、パケットのための特定の時間またはある持続時間のうちの少なくとも１つを記憶することと、クエリ時間またはクエリ持続時間のうちの少なくとも１つが、記憶された時間または記憶された持続時間のうちの少なくとも１つに実質的に一致すると判断することとを行うように構成され、送信機が、クエリに応答して第２の装置にメッセージを送信するように構成され、メッセージが、第１の装置をパケットのソースとして識別する。
【００１７】
本開示のいくつかの態様は、ワイヤレス通信のための方法を提供する。本方法は、概して、第１の装置において、ある持続時間をもつ特定の時間においてパケットを送信することと、パケットのための特定の時間またはある持続時間のうちの少なくとも１つを記憶することと、パケットのためのクエリ時間またはクエリ持続時間のうちの少なくとも１つの指示とともにクエリを第２の装置から受信することと、クエリ時間またはクエリ持続時間のうちの少なくとも１つが、記憶された時間または記憶された持続時間のうちの少なくとも１つに実質的に一致すると判断することと、クエリに応答して第２の装置にメッセージを送信することであって、メッセージが、第１の装置をパケットのソースとして識別する、送信することとを含む。
【００１８】
本開示のいくつかの態様は、ワイヤレス通信のための第１の装置を提供する。第１の装置は、概して、第１の装置において、ある持続時間をもつ特定の時間においてパケットを送信するための手段と、パケットのための特定の時間またはある持続時間のうちの少なくとも１つを記憶するための手段と、パケットのためのクエリ時間またはクエリ持続時間のうちの少なくとも１つの指示とともにクエリを第２の装置から受信するための手段と、クエリ時間またはクエリ持続時間のうちの少なくとも１つが、記憶された時間または記憶された持続時間のうちの少なくとも１つに実質的に一致すると判断するための手段とを含み、送信するための手段が、クエリに応答して第２の装置にメッセージを送信するように構成され、メッセージが、第１の装置をパケットのソースとして識別する。
【００１９】
本開示のいくつかの態様は、ワイヤレス通信のためのコンピュータプログラム製品を提供する。コンピュータプログラム製品は、概して、第１の装置から、ある持続時間をもつ特定の時間においてパケットを送信することと、パケットのための特定の時間またはある持続時間のうちの少なくとも１つを記憶することと、パケットのためのクエリ時間またはクエリ持続時間のうちの少なくとも１つの指示とともにクエリを第２の装置から受信することと、クエリ時間またはクエリ持続時間のうちの少なくとも１つが、記憶された時間または記憶された持続時間のうちの少なくとも１つに実質的に一致すると判断することと、クエリに応答して第２の装置にメッセージを送信することであって、メッセージが、第１の装置をパケットのソースとして識別する、送信することとを行うように実行可能な命令を有するコンピュータ可読媒体を含む。
【００２０】
本開示のいくつかの態様は、ワイヤレスノードを提供する。ワイヤレスノードは、概して、少なくとも１つのアンテナと、その少なくとも１つのアンテナを介して、ある持続時間をもつ特定の時間においてパケットを送信するように構成された送信機と、装置から少なくとも１つのアンテナを介して、パケットのためのクエリ時間またはクエリ持続時間のうちの少なくとも１つの指示とともにクエリを受信するように構成された受信機と、処理システムとを含む。処理システムは、一般に、パケットのための特定の時間またはある持続時間のうちの少なくとも１つを記憶することと、クエリ時間またはクエリ持続時間のうちの少なくとも１つが、記憶された時間または記憶された持続時間のうちの少なくとも１つに実質的に一致すると判断することとを行うように構成され、送信機が、クエリに応答して装置にメッセージを送信するように構成され、メッセージが、ワイヤレスノードをパケットのソースとして識別する。
【００２１】
本開示のいくつかの態様は、ワイヤレス通信のための装置を提供する。本装置は、概して、本装置からデータフレームを送信するための最も高い送信電力を判断するように構成された処理システムと、最も高い送信電力の指示とともにメッセージを送信するように構成された送信機とを含む。
【００２２】
本開示のいくつかの態様は、ワイヤレス通信のための方法を提供する。本方法は、概して、データフレームを送信するための最も高い送信電力を判断することと、最も高い送信電力の指示とともにメッセージを送信することとを含む。
【００２３】
本開示のいくつかの態様は、ワイヤレス通信のための装置を提供する。本装置は、概して、本装置からデータフレームを送信するための最も高い送信電力を判断するための手段と、最も高い送信電力の指示とともにメッセージを送信するための手段とを含む。
【００２４】
本開示のいくつかの態様は、ワイヤレス通信のためのコンピュータプログラム製品を提供する。コンピュータプログラム製品は、概して、装置からデータフレームを送信するための最も高い送信電力を判断することと、最も高い送信電力の指示とともにメッセージを装置から送信することとを行うように実行可能な命令を有するコンピュータ可読媒体を含む。
【００２５】
本開示のいくつかの態様は、アクセスポイント（ＡＰ）を提供する。ＡＰは、概して、少なくとも１つのアンテナと、アクセスポイントからデータフレームを送信するための最も高い送信電力を判断するように構成された処理システムと、少なくとも１つのアンテナを介して、最も高い送信電力の指示とともにメッセージを送信するように構成された送信機とを含む。
【００２６】
本開示のいくつかの態様は、ワイヤレス通信のための第１の装置を提供する。第１の装置は、概して、データフレームを送信するために第２の装置によって使用される最も高い送信電力の指示とともにメッセージを第２の装置から受信するように構成された受信機と、最も高い送信電力に少なくとも部分的に基づいて、第２の装置が支配的干渉物であると判断するように構成された処理システムとを含む。
【００２７】
本開示のいくつかの態様は、ワイヤレス通信のための方法を提供する。本方法は、概して、データフレームを送信するために装置によって使用される最も高い送信電力の指示とともにメッセージを装置から受信することと、最も高い送信電力に少なくとも部分的に基づいて、装置が支配的干渉物であると判断することとを含む。
【００２８】
本開示のいくつかの態様は、ワイヤレス通信のための第１の装置を提供する。第１の装置は、概して、データフレームを送信するために第２の装置によって使用される最も高い送信電力の指示とともにメッセージを第２の装置から受信するための手段と、最も高い送信電力に少なくとも部分的に基づいて、第２の装置が支配的干渉物であると判断するための手段とを含む。
【００２９】
本開示のいくつかの態様は、ワイヤレス通信のためのコンピュータプログラム製品を提供する。コンピュータプログラム製品は、概して、データフレームを送信するために装置によって使用される最も高い送信電力の指示とともにメッセージを装置から受信することと、最も高い送信電力に少なくとも部分的に基づいて、装置が支配的干渉物であると判断することとを行うように実行可能な命令を有するコンピュータ可読媒体を含む。
【００３０】
本開示のいくつかの態様は、ワイヤレスノードを提供する。ワイヤレスノードは、概して、少なくとも１つのアンテナと、データフレームを送信するために装置によって使用される最も高い送信電力の指示とともにメッセージを装置から少なくとも１つのアンテナを介して受信するように構成された受信機と、最も高い送信電力に少なくとも部分的に基づいて、装置が支配的干渉物であると判断するように構成された処理システムとを含む。
【００３１】
本開示のいくつかの態様は、ワイヤレス通信のための装置を提供する。本装置は、概して、本装置からデータフレームを送信するための第１の送信電力を判断するように構成された処理システムと、第２の送信電力において制御または管理メッセージを送信するように構成された送信機であって、制御または管理メッセージが、第１の送信電力の第１の指示と、第２の送信電力の第２の指示とを備える、送信機とを含む。
【００３２】
本開示のいくつかの態様は、ワイヤレス通信のための方法を提供する。本方法は、概して、データフレームを送信するための第１の送信電力を判断することと、第２の送信電力において制御または管理メッセージを送信することであって、制御または管理メッセージが、第１の送信電力の第１の指示と、第２の送信電力の第２の指示とを備える、送信することとを含む。
【００３３】
本開示のいくつかの態様は、ワイヤレス通信のための装置を提供する。本装置は、概して、本装置からデータフレームを送信するための第１の送信電力を判断するための手段と、第２の送信電力において制御または管理メッセージを送信するための手段であって、制御または管理メッセージが、第１の送信電力の第１の指示と、第２の送信電力の第２の指示とを備える、送信するための手段とを含む。
【００３４】
本開示のいくつかの態様は、ワイヤレス通信のためのコンピュータプログラム製品を提供する。コンピュータプログラム製品は、概して、装置からデータフレームを送信するための第１の送信電力を判断することと、第２の送信電力において制御または管理メッセージを送信することであって、制御または管理メッセージが、第１の送信電力の第１の指示と、第２の送信電力の第２の指示とを備える、送信することとを行うように実行可能な命令を有するコンピュータ可読媒体を含む。
【００３５】
本開示のいくつかの態様は、ワイヤレスノードを提供する。ワイヤレスノードは、概して、少なくとも１つのアンテナと、ワイヤレスノードからデータフレームを送信するための第１の送信電力を判断するように構成された処理システムと、少なくとも１つのアンテナを介して、第２の送信電力において制御または管理メッセージを送信するように構成された送信機であって、制御または管理メッセージが、第１の送信電力の第１の指示と、第２の送信電力の第２の指示とを備える、送信機とを含む。
【００３６】
本開示のいくつかの態様は、ワイヤレス通信のための第１の装置を提供する。第１の装置は、概して、データフレームを送信するために第２の装置によって使用される第１の送信電力の第１の指示とともに制御または管理メッセージを第２の装置から受信するように構成された受信機と、第１の送信電力に少なくとも部分的に基づいて、第２の装置が支配的干渉物であると判断するように構成された処理システムとを含む。
【００３７】
本開示のいくつかの態様は、ワイヤレス通信のための方法を提供する。本方法は、概して、データフレームを送信するために装置によって使用される第１の送信電力の第１の指示とともに制御または管理メッセージを装置から受信することと、第１の送信電力に少なくとも部分的に基づいて、装置が支配的干渉物であると判断することとを含む。
【００３８】
本開示のいくつかの態様は、ワイヤレス通信のための第１の装置を提供する。第１の装置は、概して、データフレームを送信するために第２の装置によって使用される第１の送信電力の第１の指示とともに制御または管理メッセージを第２の装置から受信するための手段と、第１の送信電力に少なくとも部分的に基づいて、第２の装置が支配的干渉物であると判断するための手段とを含む。
【００３９】
本開示のいくつかの態様は、ワイヤレス通信のためのコンピュータプログラム製品を提供する。コンピュータプログラム製品は、概して、データフレームを送信するために装置によって使用される第１の送信電力の第１の指示とともに制御または管理メッセージを装置から受信することと、第１の送信電力に少なくとも部分的に基づいて、装置が支配的干渉物であると判断することとを行うように実行可能な命令を有するコンピュータ可読媒体を含む。
【００４０】
本開示のいくつかの態様は、ワイヤレスノードを提供する。ワイヤレスノードは、概して、少なくとも１つのアンテナと、データフレームを送信するために装置によって使用される第１の送信電力の第１の指示とともに制御または管理メッセージを装置から少なくとも１つのアンテナを介して受信するように構成された受信機と、第１の送信電力に少なくとも部分的に基づいて、装置が支配的干渉物であると判断するように構成された処理システムとを含む。
【００４１】
本開示のいくつかの態様は、ワイヤレス通信のための装置を提供する。本装置は、概して、本装置からデータフレームを送信するための変調およびコーディング方式（ＭＣＳ：modulation and coding scheme）を判断するように構成された処理システムと、ＭＣＳの指示を備える要求メッセージを送信するように構成された送信機とを含む。
【００４２】
本開示のいくつかの態様は、ワイヤレス通信のための方法を提供する。本方法は、概して、データフレームを送信するための変調およびコーディング方式（ＭＣＳ）を判断することと、ＭＣＳの指示を備える要求メッセージを送信することとを含む。
【００４３】
本開示のいくつかの態様は、ワイヤレス通信のための装置を提供する。本装置は、概して、本装置からデータフレームを送信するための変調およびコーディング方式（ＭＣＳ）を判断するための手段と、ＭＣＳの指示を備える要求メッセージを送信するための手段とを含む。
【００４４】
本開示のいくつかの態様は、ワイヤレス通信のためのコンピュータプログラム製品を提供する。コンピュータプログラム製品は、概して、装置からデータフレームを送信するための変調およびコーディング方式（ＭＣＳ）を判断することと、ＭＣＳの指示を備える要求メッセージを送信することとを行うように実行可能な命令を有するコンピュータ可読媒体を含む。
【００４５】
本開示のいくつかの態様は、ワイヤレスノードを提供する。ワイヤレスノードは、概して、少なくとも１つのアンテナと、ワイヤレスノードからデータフレームを送信するための変調およびコーディング方式（ＭＣＳ）を判断するように構成された処理システムと、少なくとも１つのアンテナを介して、ＭＣＳの指示を備える要求メッセージを送信するように構成された送信機とを含む。
【００４６】
本開示のいくつかの態様は、ワイヤレス通信のための装置を提供する。本装置は、概して、受信されるべきデータフレームを送信するための変調およびコーディング方式（ＭＣＳ）の指示を備える要求メッセージを受信するように構成された受信機と、ＭＣＳに基づいてリンクマージンを判断するように構成された処理システムと、リンクマージンの指示とともに応答メッセージを送信するように構成された送信機とを含む。
【００４７】
本開示のいくつかの態様は、ワイヤレス通信のための方法を提供する。本方法は、概して、受信されるべきデータフレームを送信するための変調およびコーディング方式（ＭＣＳ）の指示を備える要求メッセージを受信することと、ＭＣＳに基づいてリンクマージンを判断することと、リンクマージンの指示とともに応答メッセージを送信することとを含む。
【００４８】
本開示のいくつかの態様は、ワイヤレス通信のための装置を提供する。本装置は、概して、受信されるべきデータフレームを送信するための変調およびコーディング方式（ＭＣＳ）の指示を備える要求メッセージを受信するための手段と、ＭＣＳに基づいてリンクマージンを判断するための手段と、リンクマージンの指示とともに応答メッセージを送信するための手段とを含む。
【００４９】
本開示のいくつかの態様は、ワイヤレス通信のためのコンピュータプログラム製品を提供する。コンピュータプログラム製品は、概して、受信されるべきデータフレームを送信するための変調およびコーディング方式（ＭＣＳ）の指示を備える要求メッセージを受信することと、ＭＣＳに基づいてリンクマージンを判断することと、リンクマージンの指示とともに応答メッセージを送信することとを行うように実行可能な命令を有するコンピュータ可読媒体を含む。
【００５０】
本開示のいくつかの態様は、ワイヤレスノードを提供する。ワイヤレスノードは、概して、少なくとも１つのアンテナと、受信されるべきデータフレームを送信するための変調およびコーディング方式（ＭＣＳ）の指示を備える要求メッセージを少なくとも１つのアンテナを介して受信するように構成された受信機と、ＭＣＳに基づいてリンクマージンを判断するように構成された処理システムと、少なくとも１つのアンテナを介して、リンクマージンの指示とともに応答メッセージを送信するように構成された送信機とを含む。
【００５１】
本開示の上述の特徴を詳細に理解することができるように、添付の図面にその一部を示す態様を参照することによって、上記で簡単に要約したより具体的な説明が得られ得る。ただし、その説明は他の等しく有効な態様に通じ得るので、添付の図面は、本開示のいくつかの典型的な態様のみを示し、したがって、本開示の範囲を限定するものと見なすべきではないことに留意されたい。
【図面の簡単な説明】
【００５２】
【図１】本開示のいくつかの態様によるワイヤレス通信ネットワークの図。
【図２】本開示のいくつかの態様による例示的なアクセスポイントおよびユーザ端末のブロック図。
【図３】本開示のいくつかの態様による例示的なワイヤレスデバイスのブロック図。
【図４】本開示のいくつかの態様による、連邦通信委員会（ＦＣＣ）によって定義されたテレビジョンホワイトスペース（ＴＶＷＳ）のためのデバイスモードの表。
【図５】本開示のいくつかの態様による、固定デバイスが検出され得、ポータブルデバイスを検出し得る異なるレンジを示す図。
【図６】本開示のいくつかの態様による送信電力制御（ＴＰＣ：transmit power control）報告要素を示す図。
【図７】本開示のいくつかの態様による、ポータブルデバイスの観点から、異なる送信電力レベルで送られるメッセージのシーケンスを使用して干渉固定デバイスを判断するための例示的な動作を示す図。
【図７Ａ】図７に示す動作を実行するための例示的な構成要素を示す図。
【図８】本開示のいくつかの態様による例示的な隠れノード問題を示す図。
【図９】本開示のいくつかの態様による例示的な露出ノード問題を示す図。
【図１０】本開示のいくつかの態様による、隣接ノードに干渉および譲歩を引き起こすノードを示す図。
【図１１】本開示のいくつかの態様による、未知のノードの識別を強制するためにパケットの開始時間を使用することを示す図。
【図１２】本開示のいくつかの態様による、ワイヤレスノードの観点から、未知の隣接ノードによって使用される送信電力を学習するための例示的な動作を示す図。
【図１２Ａ】図１２に示す動作を実行するための例示的な構成要素を示す図。
【図１３】本開示のいくつかの態様による、隣接ノードに知られていないワイヤレスノードの観点から、そのワイヤレスノードによって使用される送信電力を与えるための例示的な動作を示す図。
【図１３Ａ】図１３に示す動作を実行するための例示的な構成要素を示す図。
【図１４Ａ】本開示のいくつかの態様による、ＴＰＣ要求要素およびＴＰＣ報告要素を示す図。
【図１４Ｂ】本開示のいくつかの態様による、変調およびコーディング方式（ＭＣＳ）フィールドをもつＴＰＣ要求要素と、ＴＰＣ報告要素とを示す図。
【図１５】本開示のいくつかの態様による、送信機の観点から、所望のＭＣＳをもつＴＰＣ要求メッセージを利用するための例示的な動作を示す図。
【図１５Ａ】図１５に示す動作を実行するための例示的な構成要素を示す図。
【図１６】本開示のいくつかの態様による、受信機の観点から、所望のＭＣＳをもつＴＰＣ要求メッセージを利用するための例示的な動作を示す図。
【図１６Ａ】図１６に示す動作を実行するための例示的な構成要素を示す図。
【図１７】本開示のいくつかの態様による、干渉局（ＳＴＡ：station）によって囲まれた例示的なＳＴＡを示す図。
【図１８】本開示のいくつかの態様による、アクセスポイント（ＡＰ：access point）から送信されるデータフレームの送信電力を示すための例示的なビーコン情報要素（ＩＥ：information element）を示す図。
【図１９】本開示のいくつかの態様による、ＡＰの観点から、データフレームを送信するための最も高い送信電力の指示とともにブロードキャストメッセージを送信するための例示的な動作を示す図。
【図１９Ａ】図１９に示す動作を実行するための例示的な構成要素を示す図。
【図２０】本開示のいくつかの態様による、ＳＴＡの観点から、データフレームを送信するための最も高い送信電力の指示とともに受信されたブロードキャストメッセージに基づいて支配的干渉物を判断するための例示的な動作を示す図。
【図２０Ａ】図２０に示す動作を実行するための例示的な構成要素を示す図。
【図２１】本開示のいくつかの態様による、ＳＴＡから送信されるデータフレームの送信電力を示すためのＩＥと、制御または管理フレームを送信するために使用される送信電力を示すための別のＩＥとをもつ、例示的な制御または管理フレームフォーマットを示す図。
【図２２】本開示のいくつかの態様による、ＳＴＡの観点から、データフレームを送信するための送信電力の指示と、制御または管理メッセージを送信するときに使用される送信電力の別の指示とをもつ制御または管理メッセージを送信するための例示的な動作を示す図。
【図２２Ａ】図２２に示す動作を実行するための例示的な構成要素を示す図。
【図２３】本開示のいくつかの態様による、ＳＴＡの観点から、データフレームを送信するための送信電力の指示と、制御または管理メッセージを送信するときに使用される送信電力の別の指示とをもつ、受信された制御または管理メッセージに基づいて支配的干渉物を判断するための例示的な動作を示す図。
【図２３Ａ】図２３に示す動作を実行するための例示的な構成要素を示す図。
【発明を実施するための形態】
【００５３】
添付の図面を参照しながら本開示の様々な態様について以下でより十分に説明する。ただし、本開示は、多くの異なる形態で実施され得、本開示全体にわたって提示する任意の特定の構造または機能に限定されるものと解釈すべきではない。むしろ、これらの態様は、本開示が周到で完全になり、本開示の範囲を当業者に十分に伝えるために与えるものである。本明細書の教示に基づいて、本開示の範囲は、本開示の他の態様とは無関係に実装されるにせよ、本開示の他の態様と組み合わせて実装されるにせよ、本明細書で開示する本開示のいかなる態様をもカバーするものであることを、当業者なら諒解されたい。たとえば、本明細書に記載の態様をいくつ使用しても、装置は実装され得、または方法は実施され得る。さらに、本開示の範囲は、本明細書に記載の本開示の様々な態様に加えてまたはそれらの態様以外に、他の構造、機能、または構造および機能を使用して実施されるそのような装置または方法をカバーするものとする。本明細書で開示する本開示のいずれの態様も、請求項の１つまたは複数の要素によって実施され得ることを理解されたい。
【００５４】
「例示的」という単語は、本明細書では、「例、事例、または例示の働きをすること」を意味するために使用する。本明細書で「例示的」として説明するいかなる態様も、必ずしも他の態様よりも好適または有利であると解釈すべきではない。
【００５５】
本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかを例として、図および好適な態様についての以下の説明において示す。発明を実施するための形態および図面は、本開示を限定するものではなく説明するものにすぎず、本開示の範囲は添付の特許請求の範囲およびそれの均等物によって定義される。
【００５６】
例示的なワイヤレス通信システム
本明細書に記載の技法は、直交多重化方式に基づく通信システムを含む、様々なブロードバンドワイヤレス通信システムに使用され得る。そのような通信システムの例には、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータを同時に送信するために十分に異なる方向を利用し得る。ＴＤＭＡシステムは、送信信号を異なるタイムスロットに分割し、各タイムスロットを異なるユーザ端末に割り当てることによって、複数のユーザ端末が同じ周波数チャネルを共有することを可能にし得る。ＯＦＤＭＡシステムは、全システム帯域幅を複数の直交サブキャリアに区分する変調技法である、直交周波数分割多重化（ＯＦＤＭ）を利用する。これらのサブキャリアは、トーン、ビンなどと呼ばれることもある。ＯＦＤＭでは、各サブキャリアは独立してデータで変調され得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。概して、変調シンボルは、ＯＦＤＭでは周波数領域で、ＳＣ−ＦＤＭＡでは時間領域で送られる。
【００５７】
本明細書の教示は、様々なワイヤードまたはワイヤレス装置（たとえば、ノード）に組み込まれ得る（たとえば、その装置内に実装されるか、またはその装置によって実行され得る）。いくつかの態様では、本明細書の教示に従って実装されるワイヤレスノードはアクセスポイントまたはアクセス端末を備え得る。
【００５８】
アクセスポイント（「ＡＰ」）は、ノードＢ、無線ネットワークコントローラ（「ＲＮＣ」）、発展型ノードＢ（ｅＮＢ）、基地局コントローラ（「ＢＳＣ」）、ベーストランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらとして実装されるか、あるいはそれらとして知られ得る。
【００５９】
アクセス端末（「ＡＴ」）は、加入者局、加入者ユニット、移動局（「ＭＳ」）、リモート局、リモート端末、ユーザ端末（「ＵＴ」）、ユーザエージェント、ユーザデバイス、ユーザ機器（「ＵＥ」）、ユーザ局、または何らかの他の用語を備えるか、それらとして実装されるか、あるいはそれらとして知られ得る。いくつかの実装形態では、アクセス端末は、セルラー電話、コードレス電話、セッション開始プロトコル（「ＳＩＰ」）フォン、ワイヤレスローカルループ（「ＷＬＬ」）局、携帯情報端末（「ＰＤＡ」）、ワイヤレス接続機能を有するハンドヘルドデバイス、局（「ＳＴＡ」）、またはワイヤレスモデムに接続された何らかの他の好適な処理デバイスを備え得る。したがって、本明細書で教示する１つまたは複数の態様は、電話（たとえば、セルラーフォンまたはスマートフォン）、コンピュータ（たとえば、ラップトップ）、タブレット、ポータブル通信デバイス、ポータブルコンピューティングデバイス（たとえば、個人情報端末）、エンターテインメントデバイス（たとえば、音楽もしくはビデオデバイス、または衛星ラジオ）、全地球測位システム（ＧＰＳ）デバイス、あるいはワイヤレスまたはワイヤード媒体を介して通信するように構成された他の好適なデバイスに組み込まれ得る。いくつかの態様では、ノードはワイヤレスノードである。たとえば、そのようなワイヤレスノードは、ワイヤードまたはワイヤレス通信リンクを介した、ネットワーク（たとえば、インターネットまたはセルラーネットワークなど、ワイドエリアネットワーク）のための、またはネットワークへの接続性を与え得る。
【００６０】
図１に、アクセスポイントとユーザ端末とをもつ多元接続多入力多出力（ＭＩＭＯ）システム１００を示す。簡単のために、図１にはただ１つのアクセスポイント１１０を示してある。アクセスポイントは、概して、ユーザ端末と通信する固定局であり、基地局または何らかの他の用語で呼ばれることもある。ユーザ端末は、固定でも移動でもよく、移動局、ワイヤレスデバイス、または何らかの他の用語で呼ばれることもある。アクセスポイント１１０は、ダウンリンクおよびアップリンク上で所与の瞬間において１つまたは複数のユーザ端末１２０と通信し得る。ダウンリンク（すなわち、順方向リンク）はアクセスポイントからユーザ端末への通信リンクであり、アップリンク（すなわち、逆方向リンク）はユーザ端末からアクセスポイントへの通信リンクである。ユーザ端末はまた、別のユーザ端末とピアツーピアで通信し得る。システムコントローラ１３０が、アクセスポイントに結合し、アクセスポイントの調整および制御を行う。
【００６１】
以下の開示の部分では、空間分割多元接続（ＳＤＭＡ）によって通信することが可能なユーザ端末１２０について説明するが、いくつかの態様では、ユーザ端末１２０は、ＳＤＭＡをサポートしないいくつかのユーザ端末をも含み得る。したがって、そのような態様では、ＡＰ１１０は、ＳＤＭＡユーザ端末と非ＳＤＭＡユーザ端末の両方と通信するように構成され得る。この手法は、より新しいＳＤＭＡユーザ端末が適宜に導入されることを可能にしながら、より古いバージョンのユーザ端末（「レガシー」局）が企業に配備されたままであることを都合よく可能にして、それらの有効寿命を延長し得る。
【００６２】
システム１００は、ダウンリンクおよびアップリンク上でのデータ伝送のために複数の送信アンテナおよび複数の受信アンテナを採用する。アクセスポイント１１０は、Ｎap個のアンテナを装備し、ダウンリンク送信では多入力（ＭＩ）を表し、アップリンク送信では多出力（ＭＯ）を表す。Ｋ個の選択されたユーザ端末１２０のセットは、ダウンリンク送信では多出力を集合的に表し、アップリンク送信では多入力を集合的に表す。純粋なＳＤＭＡの場合、Ｋ個のユーザ端末のためのデータシンボルストリームが、何らかの手段によって、コード、周波数または時間で多重化されない場合、Ｎap≧Ｋ≧１であることが望まれる。ＴＤＭＡ技法、ＣＤＭＡを用いた異なるコードチャネル、ＯＦＤＭを用いたサブバンドの独立セットなどを使用してデータシンボルストリームが多重化され得る場合、ＫはＮapよりも大きくなり得る。各選択されたユーザ端末は、ユーザ固有のデータをアクセスポイントに送信し、および／またはアクセスポイントからユーザ固有のデータを受信する。概して、各選択されたユーザ端末は、１つまたは複数のアンテナを装備し得る（すなわち、Ｎut≧１）。Ｋ個の選択されたユーザ端末は、同じまたは異なる数のアンテナを有することができる。
【００６３】
ＭＩＭＯシステム１００は時分割複信（ＴＤＤ）システムまたは周波数分割複信（ＦＤＤ）システムであり得る。ＴＤＤシステムの場合、ダウンリンクとアップリンクは同じ周波数帯域を共有する。ＦＤＤシステムの場合、ダウンリンクとアップリンクは異なる周波数帯域を使用する。ＭＩＭＯシステム１００はまた、伝送のために単一のキャリアまたは複数のキャリアを利用し得る。各ユーザ端末は、（たとえば、コストを抑えるために）単一のアンテナを装備するか、または（たとえば、追加コストをサポートすることができる場合）複数のアンテナを装備し得る。送信／受信を異なるタイムスロットに分割し、各タイムスロットを異なるユーザ端末１２０に割り当てることによってユーザ端末１２０が同じ周波数チャネルを共有する場合、システム１００はＴＤＭＡシステムでもあり得る。
【００６４】
図２に、ＭＩＭＯシステム１００におけるアクセスポイント１１０と２つのユーザ端末１２０ｍおよび１２０ｘとのブロック図を示す。アクセスポイント１１０はＮt個のアンテナ２２４ａ〜２２４ｔを装備する。ユーザ端末１２０ｍはＮut,m個のアンテナ２５２ｍａ〜２５２ｍｕを装備し、ユーザ端末１２０ｘはＮtu,x個のアンテナ２５２ｘａ〜２５２ｘｕを装備する。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用する「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「ｄｎ」はダウンリンクを示し、下付き文字「ｕｐ」はアップリンクを示し、Ｎup個のユーザ端末がアップリンク上の同時送信のために選択され、Ｎdn個のユーザ端末がダウンリンク上の同時送信のために選択され、ＮupはＮdnに等しくてもまたは等しくなくてもよく、ＮupおよびＮdnは、静的値であるかまたはスケジューリング間隔ごとに変わることができる。アクセスポイントおよびユーザ端末においてビームステアリングまたは何らかの他の空間処理技法が使用され得る。
【００６５】
アップリンク上では、アップリンク送信のために選択された各ユーザ端末１２０において、ＴＸデータプロセッサ２８８が、データソース２８６からトラフィックデータを受信し、コントローラ２８０から制御データを受信する。ＴＸデータプロセッサ２８８は、ユーザ端末のために選択されたレートに関連するコーディングおよび変調方式に基づいて、ユーザ端末のためにトラフィックデータを処理（たとえば、符号化、インターリーブ、および変調）し、データシンボルストリームを与える。ＴＸ空間プロセッサ２９０は、データシンボルストリームに対して空間処理を実行し、Ｎut,m個の送信シンボルストリームをＮtu,m個のアンテナに与える。各送信機ユニット（ＴＭＴＲ）２５４は、アップリンク信号を生成するために、それぞれの送信シンボルストリームを受信し、処理（たとえば、アナログ変換、増幅、フィルタ処理、および周波数アップコンバート）する。Ｎtu,m個の送信機ユニット２５４は、Ｎtu,m個のアンテナ２５２からアクセスポイントへの送信のためのＮtu,m個のアップリンク信号を与える。
【００６６】
アップリンク上の同時送信のためにＮup個のユーザ端末がスケジュールされ得る。これらのユーザ端末の各々は、それのデータシンボルストリームに対して空間処理を実行し、アップリンク上で送信シンボルストリームのそれのセットをアクセスポイントに送信する。
【００６７】
アクセスポイント１１０において、Ｎap個のアンテナ２２４ａ〜２２４ａｐは、アップリンク上で送信するすべてのＮup個のユーザ端末からアップリンク信号を受信する。各アンテナ２２４は、受信信号をそれぞれの受信機ユニット（ＲＣＶＲ）２２２に与える。各受信機ユニット２２２は、送信機ユニット２５４によって実行された処理を補足する処理を実行し、受信シンボルストリームを与える。ＲＸ空間プロセッサ２４０は、Ｎap個の受信機ユニット２２２からのＮap個の受信シンボルストリームに対して受信機空間処理を実行し、Ｎup個の復元されたアップリンクデータシンボルストリームを与える。受信機空間処理は、チャネル相関行列反転（ＣＣＭＩ）、最小平均２乗誤差（ＭＭＳＥ）、ソフト干渉消去（ＳＩＣ）、または何らかの他の技法に従って実行される。各復元されたアップリンクデータシンボルストリームは、それぞれのユーザ端末によって送信されたデータシンボルストリームの推定値である。ＲＸデータプロセッサ２４２は、復号データを得るために、そのストリームのために使用されたレートに応じて各復元されたアップリンクデータシンボルストリームを処理（たとえば、復調、デインターリーブ、および復号）する。各ユーザ端末の復号データは、記憶のためにデータシンク２４４に与えられ、および／またはさらなる処理のためにコントローラ２３０に与えられ得る。
【００６８】
ダウンリンク上では、アクセスポイント１１０において、ＴＸデータプロセッサ２１０が、ダウンリンク送信のためにスケジュールされたＮdn個のユーザ端末のためのトラフィックデータをデータソース２０８から受信し、コントローラ２３０から制御データを受信し、場合によってはスケジューラ２３４から他のデータを受信する。様々なタイプのデータが異なるトランスポートチャネル上で送信され得る。ＴＸデータプロセッサ２１０は、各ユーザ端末のために選択されたレートに基づいてそのユーザ端末のトラフィックデータを処理（たとえば、符号化、インターリーブ、変調）する。ＴＸデータプロセッサ２１０は、Ｎdn個のダウンリンクデータシンボルストリームをＮdn個のユーザ端末に与える。ＴＸ空間プロセッサ２２０は、Ｎdn個のダウンリンクデータシンボルストリームに対して（本開示で説明するプリコーディングまたはビームフォーミングなどの）空間処理を実行し、Ｎap個の送信シンボルストリームをＮap個のアンテナに与える。各送信機ユニット２２２は、ダウンリンク信号を生成するために、それぞれの送信シンボルストリームを受信し、処理する。Ｎap個の送信機ユニット２２２は、Ｎap個のアンテナ２２４からユーザ端末への送信のためのＮap個のダウンリンク信号を与える。
【００６９】
各ユーザ端末１２０において、Ｎtu,m個のアンテナ２５２は、アクセスポイント１１０からＮap個のダウンリンク信号を受信する。各受信機ユニット２５４は、関連するアンテナ２５２からの受信信号を処理し、受信シンボルストリームを与える。ＲＸ空間プロセッサ２６０は、Ｎut,m個の受信機ユニット２５４からのＮut,m個の受信シンボルストリームに対して受信機空間処理を実行し、復元されたダウンリンクデータシンボルストリームをユーザ端末に与える。受信機空間処理は、ＣＣＭＩ、ＭＭＳＥ、または何らかの他の技法に従って実行される。ＲＸデータプロセッサ２７０は、ユーザ端末のための復号データを取得するために、復元されたダウンリンクデータシンボルストリームを処理（たとえば、復調、デインターリーブ、および復号）する。
【００７０】
各ユーザ端末１２０において、チャネル推定器２７８は、ダウンリンクチャネル応答を推定し、チャネル利得推定値、ＳＮＲ推定値、雑音分散などを含み得る、ダウンリンクチャネル推定値を与える。同様に、チャネル推定器２２８は、アップリンクチャネル応答を推定し、アップリンクチャネル推定値を与える。各ユーザ端末のコントローラ２８０は、一般に、そのユーザ端末のダウンリンクチャネル応答行列Ｈdn,mに基づいてユーザ端末の空間フィルタ行列を導出する。コントローラ２３０は、有効アップリンクチャネル応答行列Ｈup,effに基づいてアクセスポイントの空間フィルタ行列を導出する。各ユーザ端末のコントローラ２８０は、フィードバック情報（たとえば、ダウンリンクおよび／またはアップリンク固有ベクトル、固有値、ＳＮＲ推定値など）をアクセスポイントに送り得る。コントローラ２３０およびコントローラ２８０はまた、それぞれ、アクセスポイント１１０およびユーザ端末１２０における様々な処理ユニットの動作を制御する。
【００７１】
図３に、ＭＩＭＯシステム１００内で採用され得るワイヤレスデバイス３０２において利用され得る様々な構成要素を示す。ワイヤレスデバイス３０２は、本明細書で説明する様々な方法を実装するように構成され得るデバイスの一例である。ワイヤレスデバイス３０２はアクセスポイント１１０またはユーザ端末１２０であり得る。
【００７２】
ワイヤレスデバイス３０２は、ワイヤレスデバイス３０２の動作を制御するプロセッサ３０４を含み得る。プロセッサ３０４は中央処理ユニット（ＣＰＵ）と呼ばれることもある。読取り専用メモリ（ＲＯＭ）とランダムアクセスメモリ（ＲＡＭ）の両方を含み得るメモリ３０６は、命令とデータとをプロセッサ３０４に与える。メモリ３０６の一部は不揮発性ランダムアクセスメモリ（ＮＶＲＡＭ）をも含み得る。プロセッサ３０４は、一般に、メモリ３０６内に記憶されたプログラム命令に基づいて論理演算と算術演算とを実行する。メモリ３０６中の命令は、本明細書で説明する方法を実装するように実行可能であり得る。
【００７３】
ワイヤレスデバイス３０２はまた、ワイヤレスデバイス３０２と遠隔ロケーションとの間のデータの送信および受信を可能にするために送信機３１０と受信機３１２とを含み得るハウジング３０８を含み得る。送信機３１０と受信機３１２とは組み合わされてトランシーバ３１４になり得る。単一または複数の送信アンテナ３１６が、ハウジング３０８に取り付けられ、トランシーバ３１４に電気的に結合され得る。ワイヤレスデバイス３０２はまた、複数の送信機、複数の受信機、複数のトランシーバを含み得る（図示せず）。
【００７４】
ワイヤレスデバイス３０２はまた、トランシーバ３１４によって受信された信号のレベルを検出し、定量化するために使用され得る信号検出器３１８を含み得る。信号検出器３１８は、総エネルギー、シンボルごとのサブキャリア当たりのエネルギー、電力スペクトル密度および他の信号などの信号を検出し得る。ワイヤレスデバイス３０２はまた、信号を処理する際に使用するためのデジタル信号プロセッサ（ＤＳＰ）３２０を含み得る。
【００７５】
ワイヤレスデバイス３０２の様々な構成要素は、データバスに加えて、電力バスと、制御信号バスと、ステータス信号バスとを含み得る、バスシステム３２２によって互いに結合され得る。
【００７６】
ＴＶＷＳにおけるＣＳＭＡ動作
上記で説明したように、ＩＥＥＥ８０２．１１ａｆは、ＴＶホワイトスペースへのＩＥＥＥ８０２．１１規格の拡張である。本明細書で使用する「ホワイトスペース」という用語は、概して、電磁スペクトルにおける未使用周波数を指し、「ＴＶホワイトスペース」という用語は、概して、ＴＶ帯域における未使用周波数スペクトル（たとえば、歴史的にアナログテレビジョンのために割り振られていたが、現在はデジタルテレビジョンへの転換により利用可能である無線周波数）を指す。この拡張では、物理（ＰＨＹ）／ＭＡＣ（媒体アクセス制御）レイヤ変更は考慮されていない。有効化プロシージャのためにいくつかのフレームフォーマットが追加されている。
【００７７】
図４に、連邦通信委員会（ＦＣＣ）によって定義されたテレビジョンホワイトスペース（ＴＶＷＳ）のためのデバイスモードの表４００を示す。ＴＶＷＳデバイスは固定デバイスを含み、その固定デバイスは、たいがい専門家によって設置され、個々のデバイスのロケーションがデータベース中に入力され得る。固定デバイスの最大送信電力は３６ｄＢｍである。モバイル／ポータブルＴＶＷＳデバイスはモード１およびモード２デバイスを含み、それらのロケーションは登録されない。ポータブルデバイスの最大送信電力は２０ｄＢｍである。固定およびモード２デバイスは有効化（enabling）局（ＳＴＡ）と呼ばれ、モード１動作状態のデバイスは依存ＳＴＡと呼ばれる。送信電力制御はＩＥＥＥ８０２．１１規格では必要とされないが、ＦＣＣは、ＴＶＷＳにおいて送信電力制御を使用することを推奨している（または規定することさえもある）。
【００７８】
デバイスが有効にされると、それらのデバイスは、通信のためにキャリア検知多重アクセス（ＣＳＭＡ）ＭＡＣを使用することが予想される。ただし、ＴＶＷＳにおいてＣＳＭＡを使用するときはいくつかの問題が予想される。たとえば、ＴＶＷＳとともに利用可能な伝搬レンジが大きくなるほど、隠れノードの可能性が高まり、競合ノードの数が増加する。ＣＳＭＡ性能は、隠れノードの存在と、競合ノードの数とに敏感である。別の問題は、固定デバイスとポータブルデバイスが異なる送信電力を使用することと、送信電力制御の利用とに起因する、送信電力のダイバーシティである。そのようなダイバーシティは、異なる送信機のカバレージエリアの非対称性を生じ、それにより、隠れノードまたは露出ノードの可能性が高まるだけでなく、衝突および不正アクセスが増加することにもなる。
【００７９】
したがって、必要なものは、これらの問題を完全に解決するのではないにせよ少なくとも緩和するための、固定デバイスとポータブルデバイスとの間の改善されたＣＳＭＡ動作のための技法および装置である。
【００８０】
ＴＶＷＳにおける送信電力管理
固定デバイスとポータブルデバイスとの間の送信電力の差は大幅である。固定デバイスのレンジは、ポータブルデバイスのレンジよりも大きい。たとえば、ポータブルデバイスが固定デバイスを聴取するレンジと、固定デバイスがポータブルデバイスを聴取するレンジとの間には、１０ｄＢｍのリンクバジェット差がある。
【００８１】
図５に、アクセスポイント（ＡＰ）１１０などの固定ＴＶＷＳデバイス５００を示す。内円５０２は、固定デバイス５００がポータブルデバイスを検出することができるレンジを表し、外円５０４は、固定デバイス５００が検出され得るレンジを表す。内円５０２の半径は、外円５０４の半径のほぼ半分である。内円５０２と外円５０４との間のエリアは、固定デバイス５００がポータブルデバイスに譲歩しない領域５０６を表す。
【００８２】
固定デバイスとポータブルデバイスの共存を可能にするために、固定デバイスがポータブルデバイスを聴取するのに十分に近接している場合のみ、ポータブルデバイスは、隣接する固定デバイスを有するチャネルを使用する可能性が最も高くなり得る。干渉固定デバイスを判断するために、ＩＥＥＥ８０２．１１における送信電力制御（ＴＰＣ）報告要素と同じかまたは少なくともそれに類似した報告要素が使用され得る。
【００８３】
図６に、本開示のいくつかの態様によるＴＰＣ報告要素６００を示す。ＴＰＣ報告要素６００は、要素識別（ＩＤ）フィールド６０２と、長さフィールド６０４と、送信電力フィールド６０６と、リンクマージンフィールド６０８とを備え得る。これらのフィールド６０２〜６０８の各々は１オクテット（８ビット）の長さを有し得る。
【００８４】
いくつかの態様では、ポータブルデバイスは、干渉固定デバイスを判断するために２ステッププロシージャを実装し得る。最初に、ポータブルデバイスは、受信ビーコン中のＴＰＣ要素を監視することによって高送信電力固定デバイスを識別し得る。次に、ポータブルデバイスは、ワイルドカードサービスセット識別子（ＳＳＩＤ）をもつ探査要求と、ＴＰＣ要求とを送り得る。この要求は、最も低いＰＨＹレートで送られ得る。固定デバイスからの応答ＴＰＣ要素は、ＴＰＣ要求に基づくリンクマージンを含んでいる可能性が最も高くなり得る。本明細書で使用する「リンクマージン」は、概して、一般にデシベル（ｄＢ）で測定される、ワイヤレス受信機の感度と、実際の受信電力との間の差を指す。ポータブルデバイスは、このリンクマージンを使用して、ポータブルデバイスからの送信が固定デバイスにおいて「聴取」されることを保証するための送信電力を判断し得る。いくつかの固定デバイスがＴＰＣ要求に応答しない場合、ポータブルデバイスは、ポータブルデバイス自体がそのような固定デバイスから「隠れている」と仮定し得、別のチャネルに移動し得る。この２ステッププロシージャは、ワイルドカードＳＳＩＤをもつＴＰＣ要求へのＴＰＣ応答が必須であることを保証するための規格変更を伴い得る。
【００８５】
いくつかの態様では、干渉固定デバイスを判断するために、規格変更を伴う必要がない代替プロシージャが使用され得る。この代替プロシージャでは、送信要求（ＲＴＳ）メッセージのシーケンスが、識別された高送信電力固定デバイスの各々に増加している電力で送られ得、送信可（ＣＴＳ）応答に関連する最小電力レベルが判断され得る。いくつかの固定デバイスが、最も高い電力においてさえＲＴＳメッセージに応答しない場合、ポータブルデバイスは、そのデバイス自体がそのような固定デバイスから「隠れている」とたいがい仮定し得、別のチャネルに移動し得る。
【００８６】
固定デバイスは、一般に、それらのロケーションと、利用されるチャネルとを登録するように設計され得るので、データベースが固定デバイスの発見を助け得る。ポータブルデバイスは、そのポータブルデバイスの近傍にある固定デバイスについて問い合わせることがたいがい可能であり得る。たとえば、ポータブルデバイスは、そのポータブルデバイスのロケーションから半径２００ｍ内にある固定デバイスのリストを取得することが可能であり得る。データベースからの応答は、固定デバイスのロケーション、動作チャネル、および送信電力レベルを含み得る。
【００８７】
図７に、本開示のいくつかの態様による、たとえば、ポータブルデバイスの観点から、異なる送信電力レベルで送られるメッセージのシーケンスを使用して干渉固定デバイスを判断するための例示的な動作７００を示す。この動作は７０２から開始し得、ポータブルデバイスが、送信要求（ＲＴＳ）メッセージのシーケンスを異なる電力レベルで固定ＴＶＷＳデバイスなどの装置に送信する。いくつかの態様では、ＲＴＳメッセージのシーケンスは、増加している電力とともに送信されるＲＴＳメッセージを備え得る。ポータブルデバイスは、ＴＶＷＳ中の１つまたは複数のチャネルを介してＲＴＳメッセージのシーケンスを送信し得る。
【００８８】
７０４において、ポータブルデバイスは、送信電力レベルのうちの特定の１つに対応するＲＴＳメッセージのうちの少なくとも１つに応答して送信可（ＣＴＳ）メッセージが受信されたかどうかを判断する。いくつかの態様では、ポータブルデバイスは、送信電力レベルのうちの特定の１つに基づいて、７０６において、データ、後続のＲＴＳメッセージ、または後続のＣＴＳメッセージのうちの少なくとも１つを装置に送信し得る。いくつかの態様では、送信電力レベルのうちの特定の１つは、ＲＴＳメッセージのうちの１つを装置に送信するための、およびそれに応答してＣＴＳメッセージを受信するための最小送信電力レベルである。
【００８９】
いくつかの態様によれば、ポータブルデバイスは装置を識別し得る。装置は、近くの（すなわち、ポータブルデバイスの近傍にある）固定装置に関するクエリを送り、そのクエリへの応答を受信することによって装置を識別し得る。この応答は、固定装置のロケーション、固定装置の動作チャネル、または固定装置の送信電力レベルのうちの少なくとも１つを含み得る。
【００９０】
いくつかの態様では、ポータブルデバイスは、第１のチャネルを使用してＲＴＳメッセージのシーケンスを送信し得る。ＣＴＳメッセージが受信されない場合、ポータブルデバイスは、第１のチャネルとは異なる第２のチャネルを使用してＲＴＳメッセージのシーケンスを送信し得る。
【００９１】
送信デバイスが送信電力制御を使用すると、個々の送信デバイスのレンジが小さい場合、媒体再使用がより多くなり、競合が減少し得る。しかしながら、送信電力のダイバーシティにより、隣接デバイスがより高い電力を使用するときにより低い電力を使用するデバイスのより高い衝突確率および／または不正媒体アクセスとともに、隠れノード問題が生じ得る。したがって、使用される送信電力は、たいがい、最高の可能な変調およびコーディング方式（ＭＣＳ）が受信されることを保証するように十分に高くなり得る。これは、潜在的に干渉するネイバーにおけるキャリア検知をもたらし得る。
【００９２】
図８に、本開示のいくつかの態様による例示的な隠れノード問題を示す。図８において、ノードＡは、ノードＣよりも低い電力で送信する。ノードＣはノードＡの送信に譲歩せず、それによってノードＢにおける衝突が生じる。この問題を解決するために、パケットドロップベースのレート適応は、送信機側における送信電力増加を伴い得る。ノードＣにおける譲歩を強制するために、送信電力はあるレベルに増加させられ得る。ＲＴＳ／ＣＴＳが使用される場合、受信機側におけるこの問題に対する別の解決策として、ノードＢは、ノードＢの干渉ネイバーが静穏であることを保証するようにＣＴＳの電力を調整し得る。これらの解決策はまた、組み合わせられ得る。干渉ネイバーを識別するための方法について以下で説明する。
【００９３】
図９に、本開示のいくつかの態様による送信電力制御を用いた例示的な露出ノード問題を示す。ノードＡがノードＣよりも低い送信電力を有し、したがって、ノードＡはノードＣに譲歩するが、ノードＣはノードＡに譲歩しない場合、ノードＡにおける媒体アクセスは、ノードＣにおける媒体アクセスよりも低くなり得る。ノードＡの送信がノードＢにおいて受信される場合、ノードＡにおいて電力増加をトリガする衝突は存在しない。公正なアクセスを保証するために、ノードＡは、ノードＡのより低いアクセスが、ノードＡに譲歩しない数個のノードに起因するのか、または多くのノードをもつネットワークに起因するのかを判断することがたいがい可能であり得る。これは、ＭＡＣアドレスを判断するための送信の復号が実現可能でないことがあるが、ノードＡにおける譲歩を引き起こすネイバーを識別するための方法を伴い得る。ネイバーが識別され得る場合、ノードＡは、ノードＡのネイバーにおける譲歩を強制するためにノードＡの送信電力をランプアップし得る。
【００９４】
図１０に、本開示のいくつかの態様による、隣接ノードに干渉および譲歩を引き起こすノードを示す。図１０では、ノードＢからの送信がノードＡにおける譲歩を引き起こす。干渉および譲歩を引き起こすネイバーを発見するために、２つの異なる場合が考慮され得る。第１の場合、ノードＡは、ノードＢからのパケットを復号することが可能である。したがって、ノードＡは、ノードＢの送信電力を判断するためにノードＢにＴＰＣ要求を送り得る。ノードＡは、次いで、ノードＢにおける譲歩を保証するために十分な電力を使用し得る。
【００９５】
第２の場合、ノードＡは、（たとえば、使用されるＭＣＳにより）ノードＢからのパケットを復号することができない。したがって、必要なものは、ノードＡが、それの潜在的なネイバーを判断し、次いで、好適な電力レベルで送信することが可能になるための方法である。
【００９６】
図１１に、本開示のいくつかの態様による、未知のノードの識別を強制するために、プリアンブル１１０２とペイロード１１０４とを有するパケット１１００の開始時間を使用することを示す。このようにして、ネイバー発見は、パケット開始時間に基づいて達成され得る。ノードＡが未知のノードからの送信に譲歩するとき、ノードＡは、プリアンブル１１０２を復号し、ノードがプリアンブルを受信した正確な時間を記録する。ノードＡは、次いで、ブロードキャスト受信アドレスおよび（譲歩を引き起こしたパケットの送信時間に関係する）タイムスタンプとともにクエリを送る。いくつかの態様では、複数のネイバーを発見するために過去におけるいくつかのパケットのタイムスタンプが含まれ得る。
【００９７】
（ノードＢなどの）ＳＴＡは、クエリを受信して、クエリメッセージ中に与えられた時間においてＳＴＡがパケットを送信したかどうかを検査し得る。クエリ中のタイムスタンプがＳＴＡのうちの１つの送信時間に一致する場合、このＳＴＡはノードＡに応答メッセージを送る。応答メッセージは、ノードＡにリンクマージン情報を与えるＴＰＣ要素を含み得る。リンクマージンに基づいて、ノードＡは、次いで、ノードＢにおける譲歩と、ノードＡによって送られたＣＴＳがノードＢにおいて受信されることとを保証するために好適な電力レベルを判断し得る。好適な送信電力はまた、上記で説明したように、ＲＴＳのシーケンスを送り、ノードＢなどのＳＴＡからＣＴＳが受信されるまで電力レベルを増加させることによって計算され得る。
【００９８】
図１２に、本開示のいくつかの態様による、たとえば、ワイヤレスノードの観点から、未知の隣接ノードによって使用される送信電力を学習するための例示的な動作１２００を示す。動作１２００は、第１の装置によって復号され得ないパケットを、第１の装置において第２の装置から受信することによって、１２０２から開始し得る。１２０４において、第１の装置は、パケットに対応する時間または持続時間のうちの少なくとも１つを判断する。第１の装置は、１２０６において時間または持続時間のうちの少なくとも１つの指示とともにクエリを送信する。いくつかの態様では、クエリは、ＴＶＷＳ中の１つまたは複数のチャネルを介して送信され得る。１２０８において、第１の装置は、クエリに応答して第２の装置からメッセージを受信し、そのメッセージが第２の装置をパケットのソースとして識別する。いくつかの態様では、メッセージは、第２の装置によってメッセージを送信するために使用される電力を示す。
【００９９】
いくつかの態様によれば、第１の装置は、送信要求（ＲＴＳ）メッセージのシーケンスを異なる送信電力レベルで第２の装置に送信し得る。第１の装置は、送信電力レベルのうちの特定の１つに対応するＲＴＳメッセージのうちの少なくとも１つに応答して送信可（ＣＴＳ）メッセージが受信されたかどうかを判断し得る。いくつかの態様では、送信電力レベルがＲＴＳメッセージのシーケンスにおいて増加していることがある。送信電力レベルのうちの特定の１つは、ＲＴＳメッセージのうちの１つを第２の装置に送信するための、およびそれに応答してＣＴＳメッセージを受信するための最小送信電力レベルを備え得る。第１の装置は、送信電力レベルのうちの特定の１つに基づいて、データ、後続のＲＴＳメッセージ、または後続のＣＴＳメッセージのうちの少なくとも１つを第２の装置に送信し得る。
【０１００】
いくつかの態様では、第１の装置は、第２の装置に要求を送信し得、その要求に基づいてリンクマージンを示す応答を第２の装置から受信し得る。第１の装置は、リンクマージンに基づいて第２の装置にデータを送信し得る。
【０１０１】
図１３に、本開示のいくつかの態様による、たとえば、隣接ノードに知られていないワイヤレスノードの観点から、そのワイヤレスノードによって使用される送信電力を与えるための例示的な動作１３００を示す。動作１３００は１３０２から開始し得、第１の装置が、ある持続時間をもつ特定の時間においてパケットを送信する。１３０４において、第１の装置は、パケットの時間または持続時間のうちの少なくとも１つを記憶する。第１の装置は、１３０６において、パケットのクエリ時間またはクエリ持続時間のうちの少なくとも１つの指示とともに（ブロードキャスト）クエリを第２の装置から受信する。いくつかの態様では、第１の装置は、ＴＶＷＳ中の１つまたは複数のチャネルを介してクエリを受信し得る。１３０８において、第１の装置は、クエリ時間またはクエリ持続時間のうちの少なくとも１つが、記憶された時間または記憶された持続時間のうちの少なくとも１つに実質的に一致すると判断する。１３１０において、第１の装置は、クエリに応答して第２の装置にメッセージを送信し、そのメッセージが第１の装置をパケットのソースとして識別する。いくつかの態様では、メッセージは、第１の装置によってメッセージを送信するために使用される電力を示し得る。
【０１０２】
いくつかの態様によれば、第１の装置は、第２の装置から送信要求（ＲＴＳ）メッセージを受信し得る。第１の装置は、そのＲＴＳメッセージに応答して送信可（ＣＴＳ）メッセージを送信し得る。
【０１０３】
いくつかの態様では、第１の装置は、第２の装置から要求を受信し得る。第１の装置は、その要求に基づいてリンクマージンを示す応答を第２の装置に送信する。要求は送信電力制御（ＴＰＣ）要求を備え得、応答はＴＰＣ応答を備え得る。
【０１０４】
上記で説明したように、高い送信電力を使用すると、ＴＶＷＳ帯域におけるより低い経路損失のためにより大きいエリアにわたってＣＳＭＡ譲歩が生じる。大きいエリアにわたる譲歩は空間再使用を制限する。したがって、本開示の態様の１つの目的は、ＴＶＷＳチャネルの空間再使用を増加させることである。これは、ＲＴＳ、ＣＴＳ、およびデータの送信電力のインテリジェントな低減によって達成され得る。送信電力があまりに低い場合、受信ＳＴＡは多数の「隠れノード」から干渉をおそらく受け、したがって受信が妨げられるので、送信電力の単純な低減では十分でない。ただし、高い送信電力は、多くのシナリオにおいて、たとえば、バッテリー電力の浪費つながる「オーバーキル」であり得る。
【０１０５】
したがって、必要なものは、受信機において意図されたＰＨＹレートにおける受信を保証するためにデータ送信電力を調整することと、選択された干渉物においてのみ譲歩を引き起こすためにＣＴＳ電力を調整することとのための技法および装置である。理想的には、実装は、ＩＥＥＥ８０２．１１規格への最小の変更のみを必要とし得る。
【０１０６】
送信電力適応は、ＲＴＳ、ＣＴＳ、および／またはデータについて達成され得る。ＲＴＳ／データについての送信電力判断は、送信機側（Ｔｘ側）送信電力を判断し、搬送するための受信機側（Ｒｘ側）デバイスのための方法を伴い得る。この送信電力判断は、以下で説明する、現在のＴＰＣメッセージと同様の要求応答メッセージを使用し得る。ＣＴＳについての送信電力判断は、支配的干渉物を遮断するのに十分なＣＴＳ送信電力を計算するための方法を伴い得る。ビーコンおよびＲＴＳは、以下で説明するようにデータ送信電力情報を用いて増補され得る。ＣＴＳについての送信電力判断は、ＳＴＡが、ＣＴＳを用いて静穏化すべき干渉物を識別し、それらの干渉物に達するのに十分な送信電力でＣＴＳを送るための方法を伴い得る。
【０１０７】
ＴＰＣ要求／応答機構はＩＥＥＥ８０２．１１において定義されている。この機構により、送信機／受信機ペアは好適な送信電力を判断することが可能になる。
【０１０８】
図１４Ａに、本開示のいくつかの態様による、ＴＰＣ要求要素１４００およびＴＰＣ報告要素６００を示す。ＴＰＣ要求要素１４００は、要素ＩＤフィールド１４０２と、長さフィールド１４０４とを備え得る。これらのフィールド１４０２、１４０４の各々は１オクテット（８ビット）の長さを有し得る。
【０１０９】
ＲＴＳまたはデータ送信電力判断のために、Ｔｘ側デバイスはＲｘ側デバイスにＴＰＣ要求メッセージを送り得る。Ｒｘ側デバイスは、リンクマージンフィールド６０８を含んでいるＴＰＣ報告メッセージで応答し得る。リンクマージンは、対応するＴＰＣ要求の受信中に測定され得る。送信電力フィールド６０６はＴＰＣ報告メッセージの送信電力を示し得る。Ｔｘ側デバイスは、ＴＰＣ報告メッセージ中に示されたリンクマージンから指示された送信電力を判断し得る。
【０１１０】
図１４Ｂに、本開示のいくつかの態様による、変調およびコーディング方式（ＭＣＳ）フィールド１４５２をもつＴＰＣ要求要素１４５０と、ＴＰＣ報告要素６００とを示す。Ｔｘ側デバイスが、Ｒｘ側デバイスからの所与のＭＣＳにおける受信のために望ましい電力レベルを要求することを可能にするために、Ｒｘ側デバイスは、Ｔｘ側デバイスへの経路損失と、Ｒｘ側デバイスにおける潜在的な干渉とに基づく送信電力を供給することが可能でなければならない。これを達成するために、Ｔｘ側デバイスは、所望の送信ＭＣＳとともに要求メッセージを送り得る。Ｒｘ側デバイスは、要求メッセージの受信電力（たとえば、ＲＳＳＩ、または受信信号強度インジケータ）に基づいて要求されたＭＣＳをサポートするために要求メッセージの送信電力に適用される可能性が最も高くなり得る電力マージンＭ1を計算し得る。Ｒｘ側デバイスは、フィードバックリンクマージンＭ2を取得するために、さらなるファクタ（たとえば、許容干渉のファクタ）によって上記のステップにおいて計算された電力マージンＭ1を調整（たとえば、低減）し得る。許容干渉ファクタを判断する任意の好適な方法が採用され得る。Ｒｘ側デバイスは、次いで、マージンＭ2をもつメッセージをＴｘ側デバイスに送り得る。Ｔｘ側デバイスは、要求されたＭＣＳにおけるデータ送信のために使用されるべき電力を判断するために、フィードバックされたマージンＭ2を要求メッセージのために使用される送信電力に適用し得る。
【０１１１】
いくつかの態様では、Ｔｘ側デバイスは、ＭＣＳフィールド１４５２をもつＴＰＣ要求要素１４５０を送り得る。Ｒｘ側デバイスは、ＭＣＳ、Ｒｘ側デバイスとＴｘ側デバイスとの間の経路損失、およびＲｘ側における所望の信号対干渉雑音比（ＳＩＮＲ）に従って設定されたリンクマージンフィールド６０８をもつＴＰＣ報告要素６００で応答し得る。次いで、Ｔｘ側デバイスは、戻されたリンクマージンに基づいて要求されたＭＣＳについて示される最小送信電力を使用し得る。
【０１１２】
図１５に、本開示のいくつかの態様による、たとえば、Ｔｘ側デバイスの観点から、所望のＭＣＳをもつＴＰＣ要求メッセージを利用するための例示的な動作１５００を示す。動作１５００は１５０２から開始し得、Ｔｘ側デバイスが、データフレームを送信するためのＭＣＳを判断する。１５０４において、Ｔｘ側デバイスは、ＭＣＳの指示を備えるＴＰＣ要求メッセージを送信する。Ｔｘ側デバイスは、ＴＶＷＳ中の１つまたは複数のチャネルを介してＴＰＣ要求メッセージを送信し得る。いくつかの態様では、ＭＣＳの指示は要求メッセージ中にＩＥを備え得る。Ｔｘ側デバイスは、１５０６において、リンクマージンの指示を備えるＴＰＣ応答メッセージを受信し得、リンクマージンはＭＣＳに基づく。１５０８において、Ｔｘ側デバイスは、ＭＣＳとリンクマージンに基づく送信電力とを使用してデータを送信し得る。
【０１１３】
図１６に、本開示のいくつかの態様による、たとえば、Ｒｘ側デバイスの観点から、所望のＭＣＳをもつＴＰＣ要求メッセージを利用するための例示的な動作１６００を示す。動作１６００は１６０２から開始し得、Ｒｘ側デバイスが、受信されるべきデータフレームを送信するためのＭＣＳの指示を備えるＴＰＣ要求メッセージを受信する。いくつかの態様では、ＭＣＳの指示は要求メッセージ中にＩＥを備え得る。１６０４において、Ｒｘ側デバイスは、ＭＣＳに基づいてリンクマージンを判断する。Ｒｘ側デバイスは、１６０６において、リンクマージンの指示とともにＴＰＣ応答メッセージを送信する。Ｒｘ側デバイスは、ＴＶＷＳ中の１つまたは複数のチャネルを介してＴＰＣ応答メッセージを送信し得る。
【０１１４】
いくつかの態様によれば、Ｒｘ側デバイスは、信号対干渉雑音比（ＳＩＮＲ）と経路損失とを判断し得、リンクマージンは、ＭＣＳとＳＩＮＲと経路損失とに基づく。Ｒｘ側デバイスは、要求メッセージに関連する受信電力を判断し、要求メッセージに関連する受信電力に基づいて電力マージンを判断し、リンクマージンを取得するためにファクタによって電力マージンを調整し得る。いくつかの態様では、ファクタは許容干渉ファクタであり得る。
【０１１５】
図１７に、本開示のいくつかの態様による、干渉局（ＳＴＡ）１７１０によって囲まれた例示的なＳＴＡ１７００を示す。ＳＴＡ１７００のＣＴＳレンジ１７０２は、ＡＰ送信電力と、所望の干渉レベルとに従って選定される。
【０１１６】
ＣＴＳメッセージの送信電力を判断する際に、Ｒｘ側デバイス（たとえば、ＳＴＡ１７００）は、隣接干渉物（たとえば、干渉ＳＴＡ１７１０）からのＲＴＳおよびビーコンを観測し得る。隣接ＡＰのビーコンは、ＡＰによってデータを送信するために使用される最大送信電力を含んでいる。いくつかの態様では、ビーコンは、ビーコンの送信電力を含んでいることもある。ビーコンフレームフォーマットの詳細については図１８に関して以下で説明する。ＳＴＡから送信されるいくつかのＲＴＳは、以下のデータのために使用される電力と、ＲＴＳを送信するために使用される電力とを用いて増補される。増補されたＲＴＳフレームフォーマットに関する詳細については図２１に関して以下で与える。
【０１１７】
Ｒｘ側デバイスは、支配的干渉物を判断するために、（ビーコン／ＲＴＳのＲＳＳＩから判断される）経路損失とともにデータ送信電力情報を使用し得る。Ｒｘ側デバイスは、データ送信電力に基づいて判断された、すべてのデバイスの支配的干渉物に達するのに十分な電力レベルでＣＴＳメッセージを送り得る。より長いレンジにおける復号を保証するために、ビーコンまたは増補されたＲＴＳのために使用される送信電力はより大きくなり得る。ビーコン送信電力を使用することは、ＣＴＳの不必要に大きいレンジにつながり得る。
【０１１８】
図１８に、本開示のいくつかの態様による、アクセスポイント（ＡＰ）から送信されるデータフレームの送信電力を示すための例示的なビーコン情報要素（ＩＥ）１８００を示す。ＡＰは、ビーコンＩＥ１８００をもつビーコンを送信し得る。ビーコンＩＥ１８００は、要素ＩＤフィールド１８０２と、長さフィールド１８０４と、データ送信電力フィールド１８０６とを備え得る。データ送信電力フィールド１８０６は、ＡＰによってデータフレームを送るために使用される最も高い送信電力を含んでいることがある。フィールド１８０２、１８０４、１８０６の各々は１オクテット（８ビット）の長さを有し得る。
【０１１９】
図１９に、本開示のいくつかの態様による、たとえば、ＡＰの観点から、データフレームを送信するための最も高い送信電力の指示とともにブロードキャストメッセージを送信するための例示的な動作１９００を示す。動作１９００は１９０２から開始し得、ＡＰが、データフレームを送信するための最も高い送信電力を判断する。１９０４において、ＡＰは、最も高い送信電力の指示とともに（ブロードキャスト）メッセージを送信する。ＡＰは、ＴＶＷＳ中の１つまたは複数のチャネルを介してメッセージを送信し得る。
【０１２０】
いくつかの態様によれば、メッセージはビーコンを備え得る。指示はビーコン中にＩＥを備え得る。他の態様では、メッセージは、メッセージを送信するための第２の送信電力の別の指示を備え得る。ＡＰは、第２の送信電力を使用してメッセージを送信し得る。
【０１２１】
図２０に、本開示のいくつかの態様による、たとえば、ＳＴＡの観点から、データフレームを送信するための最も高い送信電力の指示とともに受信されたブロードキャストメッセージに基づいて支配的干渉物を判断するための例示的な動作２０００を示す。動作２０００は２００２から開始し得、ＳＴＡが、装置（たとえば、ＡＰ）によってデータフレームを送信するために使用される最も高い送信電力の指示とともに（ブロードキャスト）メッセージを装置から受信する。いくつかの態様では、メッセージはビーコンを備え、指示はビーコン中にＩＥを備える。２００４において、ＳＴＡは、最も高い送信電力に少なくとも部分的に基づいて、装置が支配的干渉物であると判断する。いくつかの態様では、この判断は経路損失にも基づき得る。２００６において、ＳＴＡはメッセージの受信電力を判断し得る。ＳＴＡは、２００８において、受信電力に基づいて経路損失を判断し得る。２０１０において、ＳＴＡは、支配的干渉物に達するのに十分な送信電力レベルでＣＴＳメッセージを送信し得る。
【０１２２】
いくつかの態様によれば、メッセージは、メッセージを送信するための第２の送信電力の別の指示を備え得る。ＳＴＡは、受信電力と第２の送信電力とに基づいてメッセージの受信電力と経路損失とを判断し得る。ＳＴＡはまた、経路損失に基づいて装置が支配的干渉物であると判断し得る。
【０１２３】
いくつかの態様では、ＳＴＡは、複数の装置（たとえば、第２または第３の装置）の各々によってデータフレームを送信するために使用される最も高い送信電力の指示とともに、メッセージを装置から受信し得る。たとえば、ＳＴＡは、第２の装置によってデータフレームを送信するために使用される最も高い送信電力の別の指示とともに、別のメッセージを第２の装置から受信し得る。ＳＴＡは、装置の各々によって使用される最も高い送信電力に少なくとも部分的に基づいて、これらの装置のうちのいずれか１つまたは複数が支配的干渉物であると判断し得る。ＳＴＡは、次いで、支配的干渉物のすべてに達するのに十分な最も高い送信電力レベルで（すなわち、装置に達するのに十分な第１の送信電力レベルと、第２の装置に達するのに十分な第２の送信電力レベルとのうちの高いほうのレベルで）ＣＴＳメッセージを送信し得る。
【０１２４】
図２１に、本開示のいくつかの態様による、ＳＴＡから送信されるデータフレームの送信電力を示すためのＩＥと、制御または管理フレームを送信するために使用される送信電力を示すための別のＩＥとをもつ、例示的な制御または管理フレームフォーマット２１００を示す。フレームフォーマット２１００は、フレーム制御（ＦＣ：frame control）フィールド２１０２と、持続時間フィールド２１０４と、受信機アドレス（ＲＡ：receiver address）フィールド２１０６と、送信機アドレス（ＴＡ：transmitter field）フィールド２１０８と、フレーム送信電力フィールド２１１０と、データ送信電力フィールド２１１２と、フレームチェックシーケンス（ＦＣＳ：frame check sequence）フィールド２１１４とを備え得る。データ送信電力フィールド２１１２は、データフレームを送信するための送信電力を示し得るが、フレーム送信電力フィールド２１１０は、フレーム送信電力フィールド２１１０を含んでいる制御または管理フレームを送信するために使用される電力を示し得る。
【０１２５】
いくつかの態様では、制御または管理フレームは、あるタイプの管理フレームであり得る、電力較正フレームであり得る。他の態様では、制御または管理フレームフォーマット２１００は、フレーム送信電力フィールド２１１０およびデータ送信電力フィールド２１１２で増補されたＲＴＳフレームフォーマットであり得る。
【０１２６】
図２２に、本開示のいくつかの態様による、たとえば、ＳＴＡの観点から、データフレームを送信するための送信電力の指示と、制御または管理メッセージを送信するときに使用される送信電力の別の指示とをもつ制御または管理メッセージを送信するための例示的な動作２２００を示す。動作２２００は２２０２から開始し得、ＳＴＡが、データフレームを送信するための第１の送信電力を判断する。２２０４において、ＳＴＡは、第２の送信電力において制御または管理メッセージを送信する。制御または管理メッセージは、第１の送信電力の第１の指示と、第２の送信電力の第２の指示とを備え得る。ＳＴＡは、ＴＶＷＳ中の１つまたは複数のチャネルを介して制御または管理メッセージを送信し得る。
【０１２７】
いくつかの態様では、制御または管理メッセージは、ＲＴＳメッセージまたは電力較正フレームを備え得る。いくつかの態様によれば、第１または第２の指示は制御または管理メッセージ中にＩＥを備え得る。
【０１２８】
図２３に、本開示のいくつかの態様による、たとえば、ＳＴＡの観点から、データフレームを送信するための送信電力の指示と、制御または管理メッセージを送信するときに使用される送信電力の別の指示とをもつ、受信された制御または管理メッセージに基づいて支配的干渉物を判断するための例示的な動作２３００を示す。動作２３００は２３０２から開始し得、ＳＴＡが、装置（たとえば、別のＳＴＡ）によってデータフレームを送信するために使用される第１の送信電力の第１の指示とともに制御または管理メッセージを装置から受信する。ＳＴＡは、ＴＶＷＳ中の１つまたは複数のチャネルを介して制御または管理メッセージを受信し得る。いくつかの態様では、制御または管理メッセージはまた、装置によって制御または管理メッセージを送信するために使用される第２の送信電力の第２の指示を備え得る。２３０４において、ＳＴＡは、第１の送信電力に少なくとも部分的に基づいて、装置が支配的干渉物であると判断する。
【０１２９】
２３０６において、ＳＴＡは、制御または管理メッセージの受信電力を判断し得る。ＳＴＡは、２３０８において、受信電力と第２の送信電力とに基づいて経路損失を判断し得る。いくつかの態様では、ＳＴＡは、２３０４において、経路損失、ならびに第１の送信電力に基づいて装置が支配的干渉物であると判断し得る。２３１０において、ＳＴＡは、支配的干渉物に達するのに十分な送信電力レベルでＣＴＳメッセージを送信し得る。
【０１３０】
いくつかの態様では、制御または管理メッセージは、ＲＴＳメッセージまたは電力較正フレームを備え得る。いくつかの態様によれば、第１の指示または第２の指示のうちの１つは、制御または管理メッセージ中にＩＥを備え得る。
【０１３１】
いくつかの態様では、ＳＴＡは、第２の装置によってデータフレームを送信するために使用される第３の送信電力の第３の指示とともに、別の制御または管理メッセージを第２の装置から受信し得る。ＳＴＡは、第３の送信電力に少なくとも部分的に基づいて、第２の装置が別の支配的干渉物であると判断し得る。ＳＴＡはまた、装置に達するのに十分な第１の送信電力レベルと、第２の装置に達するのに十分な第２の送信電力レベルとのうちの高いほうのレベルでＣＴＳメッセージを送信し得る。
【０１３２】
上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示す動作がある場合、それらの動作は、同様の番号をもつ対応するカウンターパートのミーンズプラスファンクション構成要素を有し得る。たとえば、図７に示す動作７００は、図７Ａに示す構成要素７００Ａに対応する。
【０１３３】
たとえば、送信するための手段は、図２に示すアクセスポイント１１０の送信機ユニット２２２、図２に示すユーザ端末１２０の送信機ユニット２５４、または図３に示すワイヤレスデバイス３０２の送信機３１０などの送信機を備え得る。受信するための手段は、図２に示すアクセスポイント１１０の受信機ユニット２２２、図２に示すユーザ端末１２０の受信機ユニット２５４、または図３に示すワイヤレスデバイス３０２の受信機３１２などの受信機を備え得る。処理するための手段、判断するための手段、識別するための手段、または調整するための手段は、図２に示すユーザ端末１２０のＲＸデータプロセッサ２７０、ＴＸデータプロセッサ２８８、および／またはコントローラ２８０、あるいはアクセスポイント１１０のＲＸデータプロセッサ２４２、ＴＸデータプロセッサ２１０、および／またはコントローラ２３０など、１つまたは複数のプロセッサを含み得る処理システムを備え得る。記憶するための手段は、図３に示すワイヤレスデバイス３０２のメモリ３０６など、メモリまたは他の記憶媒体を備え得る。
【０１３４】
本明細書で使用する「判断」という用語は、多種多様なアクションを包含する。たとえば、「判断」は、計算、算出、処理、導出、調査、探索（たとえば、テーブル、データベースまたは別のデータ構造での探索）、確認などを含み得る。また、「判断」は、受信（たとえば、情報を受信すること）、アクセス（たとえば、メモリ中のデータにアクセスすること）などを含み得る。また、「判断」は、解決、選択、選定、確立などを含み得る。
【０１３５】
本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを含むものとする。
【０１３６】
本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としても実装され得る。
【０１３７】
本開示に関連して説明した方法またはアルゴリズムのステップは、ハードウェアで直接実施されるか、プロセッサによって実行されるソフトウェアモジュールで実施されるか、またはその２つの組合せで実施され得る。ソフトウェアモジュールは、当技術分野で知られている任意の形態の記憶媒体中に常駐し得る。使用され得る記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどがある。ソフトウェアモジュールは、単一の命令、または多数の命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込み得るように、プロセッサに結合され得る。代替として、記憶媒体はプロセッサに一体化され得る。
【０１３８】
本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【０１３９】
説明した機能は、ハードウェア、ソフトウェア、ファームウェア、またはそれらの任意の組合せで実装され得る。ハードウェアで実装した場合、例示的なハードウェア構成はワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実装するために使用され得る。ユーザ端末１２０（図１参照）の場合、ユーザインターフェース（たとえば、キーパッド、ディスプレイ、マウス、ジョイスティックなど）もまたバスに接続され得る。バスはまた、タイミングソース、周辺機器、電圧調整器、電力管理回路などの様々な他の回路をリンクし得るが、それらは当技術分野でよく知られており、したがってこれ以上は説明しない。
【０１４０】
プロセッサは、機械可読媒体に記憶されたソフトウェアの実行を含む、バスおよび一般的な処理を管理することを担当し得る。プロセッサは、１つまたは複数の汎用および／または専用プロセッサを用いて実装され得る。例としては、マイクロプロセッサ、マイクロコントローラ、ＤＳＰプロセッサ、およびソフトウェアを実行し得る他の回路がある。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。機械可読媒体は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気消去可能プログラマブル読取り専用メモリ）、レジスタ、磁気ディスク、光ディスク、ハードドライブ、または他の好適な記憶媒体、あるいはそれらの任意の組合せを含み得る。機械可読媒体はコンピュータプログラム製品において実施され得る。コンピュータプログラム製品はパッケージング材料を備え得る。
【０１４１】
ハードウェア実装形態では、機械可読媒体は、プロセッサとは別個の処理システムの一部であり得る。しかしながら、当業者なら容易に理解するように、機械可読媒体またはその任意の部分は処理システムの外部に存在し得る。例として、機械可読媒体は、すべてバスインターフェースを介してプロセッサがアクセスし得る、伝送線路、データによって変調された搬送波、および／またはワイヤレスノードとは別個のコンピュータ製品を含み得る。代替的または追加的に、機械可読媒体またはその任意の部分は、キャッシュおよび／または汎用レジスタファイルがそうであり得るように、プロセッサに統合され得る。
【０１４２】
処理システムは、すべて外部バスアーキテクチャを介して他のサポート回路と互いにリンクされる、プロセッサ機能を提供する１つまたは複数のマイクロプロセッサと、機械可読媒体の少なくとも一部を提供する外部メモリとをもつ汎用処理システムとして構成され得る。代替的に、処理システムは、プロセッサをもつＡＳＩＣ（特定用途向け集積回路）と、バスインターフェースと、アクセス端末の場合はユーザインターフェースと、サポート回路と、単一のチップに統合された機械可読媒体の少なくとも一部分とを用いて、あるいは１つまたは複数のＦＰＧＡ（フィールドプログラマブルゲートアレイ）、ＰＬＤ（プログラマブル論理デバイス）、コントローラ、状態機械、ゲート論理、個別ハードウェア構成要素、もしくは他の好適な回路、または本開示全体にわたって説明した様々な機能を実行し得る回路の任意の組合せを用いて、実装され得る。当業者なら、特定の適用例と、全体的なシステムに課される全体的な設計制約とに応じて、どのようにしたら処理システムについて説明した機能を最も良く実装し得るかを理解されよう。
【０１４３】
機械可読媒体はいくつかのソフトウェアモジュールを備え得る。ソフトウェアモジュールは、プロセッサによって実行されたときに、処理システムに様々な機能を実行させる命令を含む。ソフトウェアモジュールは、送信モジュールと受信モジュールとを含み得る。各ソフトウェアモジュールは、単一の記憶デバイス中に常駐するか、または複数の記憶デバイスにわたって分散され得る。例として、トリガイベントが発生したとき、ソフトウェアモジュールがハードドライブからＲＡＭにロードされ得る。ソフトウェアモジュールの実行中、プロセッサは、アクセス速度を高めるために、命令のいくつかをキャッシュにロードし得る。次いで、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行したときにプロセッサによって実装されることが理解されよう。
【０１４４】
ソフトウェアで実装する場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。さらに、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は、通常、データを磁気的に再生し、ディスク（disc）は、データをレーザで光学的に再生する。したがって、いくつかの態様では、コンピュータ可読媒体は非一時的コンピュータ可読媒体（たとえば、有形媒体）を備え得る。さらに、他の態様では、コンピュータ可読媒体は一時的コンピュータ可読媒体（たとえば、信号）を備え得る。上記の組合せもコンピュータ可読媒体の範囲内に含まれるべきである。
【０１４５】
したがって、いくつかの態様は、本明細書で提示する動作を実行するためのコンピュータプログラム製品を備え得る。たとえば、そのようなコンピュータプログラム製品は、本明細書で説明した動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【０１４６】
さらに、本明細書で説明した方法および技法を実行するためのモジュールおよび／または他の適切な手段は、適用可能なときにユーザ端末および／または基地局によってダウンロードおよび／または他の方法で取得し得ることを諒解されたい。たとえば、そのようなデバイスは、本明細書で説明した方法を実行するための手段の転送を可能にするためにサーバに結合され得る。代替的に、本明細書で説明した様々な方法は、ユーザ端末および／または基地局がストレージ手段をデバイスに結合するかまたは与えると様々な方法を得ることができるように、ストレージ手段（たとえば、ＲＡＭ、ＲＯＭ、コンパクトディスク（ＣＤ）またはフロッピーディスクなど物理記憶媒体など）によって提供され得る。さらに、本明細書で説明した方法および技法をデバイスに与えるための任意の他の好適な技法が利用され得る。
【０１４７】
特許請求の範囲は、上記に示した厳密な構成および構成要素に限定されないことを理解されたい。上記で説明した方法および装置の構成、動作および詳細において、特許請求の範囲から逸脱することなく、様々な改変、変更および変形が行われ得る。
以下に、本願出願の当初の特許請求の範囲に記載された発明を付記する。
[１］ワイヤレス通信のための第１の装置であって、
テレビジョンホワイトスペース（ＴＶＷＳ）中の１つまたは複数のチャネルを介して第２の装置に異なる送信電力レベルで送信要求（ＲＴＳ）メッセージのシーケンスを送信するように構成された送信機と、
前記送信電力レベルのうちの特定の１つに対応する前記ＲＴＳメッセージのうちの少なくとも１つに応答して送信可（ＣＴＳ）メッセージが受信されたかどうかを判断するように構成された処理システムと
を備える、第１の装置。
[２］前記送信電力レベルがＲＴＳメッセージの前記シーケンスにおいて増加している、［１］に記載の第１の装置。
[３］前記送信電力レベルのうちの前記特定の１つが、前記ＲＴＳメッセージのうちの１つを前記第２の装置に送信するための、およびそれに応答して前記ＣＴＳメッセージを受信するための最小送信電力レベルを備える、［１］に記載の第１の装置。
[４］前記送信機が、前記送信電力レベルのうちの前記特定の１つに基づいて、データ、後続のＲＴＳメッセージ、または後続のＣＴＳメッセージのうちの少なくとも１つを送信するように構成された、［１］に記載の第１の装置。
[５］前記処理システムが、前記第２の装置を識別するように構成された、［１］に記載の第１の装置。
[６］前記処理システムが、前記第１の装置の近傍における任意の固定装置に関するクエリを送ることと、前記第２の装置のロケーション、前記第２の装置の動作チャネル、または前記第２の装置の送信電力レベルのうちの少なくとも１つを備える前記クエリに対する応答を受信することとによって、前記第２の装置を識別するように構成された、［５］に記載の第１の装置。
[７］前記送信機は、第１のチャネルを使用してＲＴＳメッセージの前記シーケンスを送信することと、前記ＣＴＳメッセージが受信されない場合、第２のチャネルを使用してＲＴＳメッセージの前記シーケンスを送信することとを行うように構成された、［１］に記載の第１の装置。
[８］ワイヤレス通信のための方法であって、
テレビジョンホワイトスペース（ＴＶＷＳ）中の１つまたは複数のチャネルを介して装置に異なる送信電力レベルで送信要求（ＲＴＳ）メッセージのシーケンスを送信することと、
前記送信電力レベルのうちの特定の１つに対応する前記ＲＴＳメッセージのうちの少なくとも１つに応答して送信可（ＣＴＳ）メッセージが受信されたかどうかを判断することと
を備える、方法。
[９］前記送信電力レベルがＲＴＳメッセージの前記シーケンスにおいて増加している、［８］に記載の方法。
[１０］前記送信電力レベルのうちの前記特定の１つが、前記ＲＴＳメッセージのうちの１つを前記装置に送信するための、およびそれに応答して前記ＣＴＳメッセージを受信するための最小送信電力レベルを備える、［８］に記載の方法。
[１１］前記送信電力レベルのうちの前記特定の１つに基づいて、データ、後続のＲＴＳメッセージ、または後続のＣＴＳメッセージのうちの少なくとも１つを送信することをさらに備える、［８］に記載の方法。
[１２］前記装置を識別することをさらに備える、［８］に記載の方法。
[１３］前記装置を識別することが、
近くの任意の固定装置に関するクエリを送ることと、
前記装置のロケーション、前記装置の動作チャネル、または前記装置の送信電力レベルのうちの少なくとも１つを備える前記クエリに対する応答を受信することと
を備える、［１２］に記載の方法。
[１４］前記シーケンスを送信することが、第１のチャネルを使用してＲＴＳメッセージの前記シーケンスを送信することと、前記ＣＴＳメッセージが受信されない場合、第２のチャネルを使用してＲＴＳメッセージの前記シーケンスを送信することとを備える、［８］に記載の方法。
[１５］ワイヤレス通信のための第１の装置であって、
テレビジョンホワイトスペース（ＴＶＷＳ）中の１つまたは複数のチャネルを介して第２の装置に異なる送信電力レベルで送信要求（ＲＴＳ）メッセージのシーケンスを送信するための手段と、
前記送信電力レベルのうちの特定の１つに対応する前記ＲＴＳメッセージのうちの少なくとも１つに応答して送信可（ＣＴＳ）メッセージが受信されたかどうかを判断するための手段と
を備える、第１の装置。
[１６］前記送信電力レベルがＲＴＳメッセージの前記シーケンスにおいて増加している、［１５］に記載の第１の装置。
[１７］前記送信電力レベルのうちの前記特定の１つが、前記ＲＴＳメッセージのうちの１つを前記第２の装置に送信するための、およびそれに応答して前記ＣＴＳメッセージを受信するための最小送信電力レベルを備える、［１５］に記載の第１の装置。
[１８］送信するための前記手段が、前記送信電力レベルのうちの前記特定の１つに基づいて、データ、後続のＲＴＳメッセージ、または後続のＣＴＳメッセージのうちの少なくとも１つを送信するように構成された、［１５］に記載の第１の装置。
[１９］前記第２の装置を識別するための手段をさらに備える、［１５］に記載の第１の装置。
[２０］識別するための前記手段が、
前記第１の装置の近傍における任意の固定装置に関するクエリを送ることと、
前記第２の装置のロケーション、前記第２の装置の動作チャネル、または前記第２の装置の送信電力レベルのうちの少なくとも１つを備える前記クエリに対する応答を受信することと
を行うように構成された、［１９］に記載の第１の装置。
[２１］送信するための前記手段は、第１のチャネルを使用してＲＴＳメッセージの前記シーケンスを送信することと、前記ＣＴＳメッセージが受信されない場合、第２のチャネルを使用してＲＴＳメッセージの前記シーケンスを送信することとを行うように構成された、［１５］に記載の第１の装置。
[２２］テレビジョンホワイトスペース（ＴＶＷＳ）中の１つまたは複数のチャネルを介して装置に異なる送信電力レベルで送信要求（ＲＴＳ）メッセージのシーケンスを送信することと、
前記送信電力レベルのうちの特定の１つに対応する前記ＲＴＳメッセージのうちの少なくとも１つに応答して送信可（ＣＴＳ）メッセージが受信されたかどうかを判断することと
を行うように実行可能な命令を備えるコンピュータ可読媒体を備える、ワイヤレス通信のためのコンピュータプログラム製品。
[２３］ワイヤレスノードであって、
少なくとも１つのアンテナと、
前記少なくとも１つのアンテナを介して、テレビジョンホワイトスペース（ＴＶＷＳ）中の１つまたは複数のチャネルを介して装置に異なる送信電力レベルで送信要求（ＲＴＳ）メッセージのシーケンスを送信するように構成された送信機と、
前記送信電力レベルのうちの特定の１つに対応する前記ＲＴＳメッセージのうちの少なくとも１つに応答して送信可（ＣＴＳ）メッセージが受信されたかどうかを判断するように構成された処理システムと
を備える、ワイヤレスノード。
[２４］ワイヤレス通信のための第１の装置であって、
前記第１の装置によって復号され得ないパケットを第２の装置から受信するように構成された受信機と、
前記パケットに対応する時間または持続時間のうちの少なくとも１つを判断するように構成された処理システムと、
前記時間または前記持続時間のうちの前記少なくとも１つの指示とともにクエリを送信するように構成された送信機であって、前記受信機が、前記クエリに応答して前記第２の装置からメッセージを受信するように構成され、前記メッセージが前記第２の装置を前記パケットのソースとして識別する、送信機と
を備える、第１の装置。
[２５］前記送信機が、前記第２の装置に異なる送信電力レベルで送信要求（ＲＴＳ）メッセージのシーケンスを送信するように構成され、前記処理システムは、前記送信電力レベルのうちの特定の１つに対応する前記ＲＴＳメッセージのうちの少なくとも１つに応答して送信可（ＣＴＳ）メッセージが受信されたかどうかを判断するように構成された、［２４］に記載の第１の装置。
[２６］前記送信電力レベルがＲＴＳメッセージの前記シーケンスにおいて増加している、［２５］に記載の第１の装置。
[２７］前記送信電力レベルのうちの前記特定の１つが、前記ＲＴＳメッセージのうちの１つを前記第２の装置に送信し、それに応答して前記ＣＴＳメッセージを受信するための最小送信電力レベルを備える、［２５］に記載の第１の装置。
[２８］前記送信機が、前記送信電力レベルのうちの前記特定の１つに基づいて、データ、後続のＲＴＳメッセージ、または後続のＣＴＳメッセージのうちの少なくとも１つを前記第２の装置に送信するように構成された、［２５］に記載の第１の装置。
[２９］前記送信機が、テレビジョンホワイトスペース（ＴＶＷＳ）中の１つまたは複数のチャネルを介して前記クエリを送信するように構成された、［２４］に記載の第１の装置。
[３０］前記送信機が、前記第２の装置に要求を送信するように構成され、前記受信機が、前記要求に基づいてリンクマージンを示す応答を前記第２の装置から受信するように構成された、［２４］に記載の第１の装置。
[３１］前記送信機が、前記リンクマージンに基づいて前記第２の装置にデータを送信するように構成された、［３０］に記載の第１の装置。
[３２］前記メッセージが、前記第２の装置によって前記メッセージを送信するために使用される電力を示す、［２４］に記載の第１の装置。
[３３］ワイヤレス通信のための方法であって、
第１の装置によって復号され得ないパケットを第２の装置から前記第１の装置において受信することと、
前記パケットに対応する時間または持続時間のうちの少なくとも１つを判断することと、
前記時間または前記持続時間のうちの前記少なくとも１つの指示とともにクエリを送信することと、
前記クエリに応答して前記第２の装置からメッセージを受信することであって、前記メッセージが前記第２の装置を前記パケットのソースとして識別する、受信することと
を備える、方法。
[３４］送信可（ＣＴＳ）メッセージが受信されたかどうかを判断することであって、前記送信することが、前記第２の装置に異なる送信電力レベルで送信要求（ＲＴＳ）メッセージのシーケンスを送信することを備え、前記ＣＴＳメッセージが受信されたかどうかを判断することは、前記送信電力レベルのうちの特定の１つに対応する前記ＲＴＳメッセージのうちの少なくとも１つに応答して前記ＣＴＳメッセージが受信されたかどうかを判断することを備える、判断することをさらに備える、［３３］に記載の方法。
[３５］前記送信電力レベルがＲＴＳメッセージの前記シーケンスにおいて増加している、［３４］に記載の方法。
[３６］前記送信電力レベルのうちの前記特定の１つが、前記ＲＴＳメッセージのうちの１つを前記第２の装置に送信し、それに応答して前記ＣＴＳメッセージを受信するための最小送信電力レベルを備える、［３４］に記載の第１の方法。
[３７］前記送信電力レベルのうちの前記特定の１つに基づいて、データ、後続のＲＴＳメッセージ、または後続のＣＴＳメッセージのうちの少なくとも１つを前記第２の装置に送信することをさらに備える、［３４］に記載の方法。
[３８］前記クエリを送信することが、テレビジョンホワイトスペース（ＴＶＷＳ）中の１つまたは複数のチャネルを介して前記クエリを送信することを備える、［３３］に記載の方法。
[３９］前記第２の装置に要求を送信することと、
前記要求に基づいてリンクマージンを示す応答を前記第２の装置から受信することと
をさらに備える、［３３］に記載の方法。
[４０］前記リンクマージンに基づいて前記第２の装置にデータを送信することをさらに備える、［３９］に記載の方法。
[４１］前記メッセージが、前記第２の装置によって前記メッセージを送信するために使用される電力を示す、［３３］に記載の方法。
[４２］ワイヤレス通信のための第１の装置であって、
前記第１の装置によって復号され得ないパケットを第２の装置から受信するための手段と、
前記パケットに対応する時間または持続時間のうちの少なくとも１つを判断するための手段と、
前記時間または前記持続時間のうちの前記少なくとも１つの指示とともにクエリを送信するための手段であって、受信するための前記手段が、前記クエリに応答して前記第２の装置からメッセージを受信するように構成され、前記メッセージが前記第２の装置を前記パケットのソースとして識別する、送信するための手段と
を備える、第１の装置。
[４３］送信可（ＣＴＳ）メッセージが受信されたかどうかを判断するための手段であって、送信するための前記手段が、前記第２の装置に異なる送信電力レベルで送信要求（ＲＴＳ）メッセージのシーケンスを送信するように構成され、前記ＣＴＳメッセージが受信されたかどうかを判断するための前記手段は、前記送信電力レベルのうちの特定の１つに対応する前記ＲＴＳメッセージのうちの少なくとも１つに応答して前記ＣＴＳメッセージが受信されたかどうかを判断するように構成された、判断するための手段をさらに備える、［４２］に記載の第１の装置。
[４４］前記送信電力レベルがＲＴＳメッセージの前記シーケンスにおいて増加している、［４３］に記載の第１の装置。
[４５］前記送信電力レベルのうちの前記特定の１つが、前記ＲＴＳメッセージのうちの１つを前記第２の装置に送信し、それに応答して前記ＣＴＳメッセージを受信するための最小送信電力レベルを備える、［４３］に記載の第１の装置。
[４６］送信するための前記手段が、前記送信電力レベルのうちの前記特定の１つに基づいて、データ、後続のＲＴＳメッセージ、または後続のＣＴＳメッセージのうちの少なくとも１つを前記第２の装置に送信するように構成された、［４３］に記載の第１の装置。
[４７］送信するための前記手段が、テレビジョンホワイトスペース（ＴＶＷＳ）中の１つまたは複数のチャネルを介して前記クエリを送信するように構成された、［４２］に記載の第１の装置。
[４８］送信するための前記手段が、前記第２の装置に要求を送信するように構成され、受信するための前記手段が、前記要求に基づいてリンクマージンを示す応答を前記第２の装置から受信するように構成された、［４２］に記載の第１の装置。
[４９］送信するための前記手段が、前記リンクマージンに基づいて前記第２の装置にデータを送信するように構成された、［４８］に記載の第１の装置。
[５０］前記メッセージが、前記第２の装置によって前記メッセージを送信するために使用される電力を示す、［４２］に記載の第１の装置。
[５１］第１の装置によって復号され得ないパケットを第２の装置から前記第１の装置において受信することと、
前記パケットに対応する時間または持続時間のうちの少なくとも１つを判断することと、
前記時間または前記持続時間のうちの前記少なくとも１つの指示とともにクエリを送信することと、
前記クエリに応答して前記第２の装置からメッセージを受信することであって、前記メッセージが前記第２の装置を前記パケットのソースとして識別する、受信することと
を行うように実行可能な命令を備えるコンピュータ可読媒体を備える、ワイヤレス通信のためのコンピュータプログラム製品。
[５２］ワイヤレスノードであって、
少なくとも１つのアンテナと、
前記ワイヤレスノードによって復号され得ないパケットを前記少なくとも１つのアンテナを介して装置から受信するように構成された受信機と、
前記パケットに対応する時間または持続時間のうちの少なくとも１つを判断するように構成された処理システムと、
前記少なくとも１つのアンテナを介して、前記時間または前記持続時間のうちの前記少なくとも１つの指示とともにクエリを送信するように構成された送信機であって、前記受信機が、前記クエリに応答して前記装置からメッセージを受信するように構成され、前記メッセージが前記装置を前記パケットのソースとして識別する、送信機と
を備える、ワイヤレスノード。
[５３］ワイヤレス通信のための第１の装置であって、
ある持続時間をもつ特定の時間においてパケットを送信するように構成された送信機と、
前記パケットのクエリ時間またはクエリ持続時間のうちの少なくとも１つの指示とともにクエリを第２の装置から受信するように構成された受信機と、
処理システムであって、
前記パケットの前記特定の時間または前記ある持続時間のうちの少なくとも１つを記憶することと、
前記クエリ時間または前記クエリ持続時間のうちの前記少なくとも１つが、前記記憶された時間または前記記憶された持続時間のうちの前記少なくとも１つに実質的に一致すると判断することであって、前記送信機が、前記クエリに応答して前記第２の装置にメッセージを送信するように構成され、前記メッセージが前記第１の装置を前記パケットのソースとして識別する、判断することと
を行うように構成された処理システムと
を備える、第１の装置。
[５４］前記受信機が、前記第２の装置から送信要求（ＲＴＳ）メッセージを受信するように構成され、前記送信機が、前記ＲＴＳメッセージに応答して送信可（ＣＴＳ）メッセージを送信するように構成された、［５３］に記載の第１の装置。
[５５］前記受信機が、テレビジョンホワイトスペース（ＴＶＷＳ）中の１つまたは複数のチャネルを介して前記クエリを受信するように構成された、［５３］に記載の第１の装置。
[５６］前記受信機が、前記第２の装置から要求を受信するように構成され、前記送信機が、前記要求に基づいてリンクマージンを示す応答を前記第２の装置に送信するように構成された、［５３］に記載の第１の装置。
[５７］前記要求が送信電力制御（ＴＰＣ）要求を備え、前記応答がＴＰＣ応答を備える、［５６］に記載の第１の装置。
[５８］前記メッセージが、前記第１の装置によって前記メッセージを送信するために使用される電力を示す、［５３］に記載の第１の装置。
[５９］ワイヤレス通信のための方法であって、
第１の装置において、ある持続時間をもつ特定の時間においてパケットを送信することと、
前記パケットの前記特定の時間または前記ある持続時間のうちの少なくとも１つを記憶することと、
前記パケットのクエリ時間またはクエリ持続時間のうちの少なくとも１つの指示とともにクエリを第２の装置から受信することと、
前記クエリ時間または前記クエリ持続時間のうちの前記少なくとも１つが、前記記憶された時間または前記記憶された持続時間のうちの前記少なくとも１つに実質的に一致すると判断することと、
前記クエリに応答して前記第２の装置にメッセージを送信することであって、前記メッセージが前記第１の装置を前記パケットのソースとして識別する、送信することと
を備える、方法。
[６０］前記第２の装置から送信要求（ＲＴＳ）メッセージを受信することと、
前記ＲＴＳメッセージに応答して送信可（ＣＴＳ）メッセージを送信することと
をさらに備える、［５９］に記載の方法。
[６１］前記クエリを受信することが、テレビジョンホワイトスペース（ＴＶＷＳ）中の１つまたは複数のチャネルを介して前記クエリを受信することを備える、［５９］に記載の方法。
[６２］前記第２の装置から要求を受信することと、
前記要求に基づいてリンクマージンを示す応答を前記第２の装置に送信することと
をさらに備える、［５９］に記載の方法。
[６３］前記要求が送信電力制御（ＴＰＣ）要求を備え、前記応答がＴＰＣ応答を備える、［６２］に記載の方法。
[６４］前記メッセージが、前記第１の装置によって前記メッセージを送信するために使用される電力を示す、［５９］に記載の方法。
[６５］ワイヤレス通信のための第１の装置であって、
ある持続時間をもつ特定の時間においてパケットを送信するための手段と、
前記パケットの前記特定の時間または前記ある持続時間のうちの少なくとも１つを記憶するための手段と、
前記パケットのクエリ時間またはクエリ持続時間のうちの少なくとも１つの指示とともにクエリを第２の装置から受信するための手段と、
前記クエリ時間または前記クエリ持続時間のうちの前記少なくとも１つが、前記記憶された時間または前記記憶された持続時間のうちの前記少なくとも１つに実質的に一致すると判断するための手段であって、送信するための前記手段が、前記クエリに応答して前記第２の装置にメッセージを送信するように構成され、前記メッセージが前記第１の装置を前記パケットのソースとして識別する、判断するための手段と
を備える、第１の装置。
[６６］受信するための前記手段が、前記第２の装置から送信要求（ＲＴＳ）メッセージを受信するように構成され、送信するための前記手段が、前記ＲＴＳメッセージに応答して送信可（ＣＴＳ）メッセージを送信するように構成された、［６５］に記載の第１の装置。
[６７］受信するための前記手段が、テレビジョンホワイトスペース（ＴＶＷＳ）中の１つまたは複数のチャネルを介して前記クエリを受信するように構成された、［６５］に記載の第１の装置。
[６８］受信するための前記手段が、前記第２の装置から要求を受信するように構成され、送信するための前記手段が、前記要求に基づいてリンクマージンを示す応答を前記第２の装置に送信するように構成された、［６５］に記載の第１の装置。
[６９］前記要求が送信電力制御（ＴＰＣ）要求を備え、前記応答がＴＰＣ応答を備える、［６８］に記載の第１の装置。
[７０］前記メッセージが、前記第１の装置によって前記メッセージを送信するために使用される電力を示す、［６５］に記載の第１の装置。
[７１］第１の装置から、ある持続時間をもつ特定の時間においてパケットを送信することと、
前記パケットの前記特定の時間または前記ある持続時間のうちの少なくとも１つを記憶することと、
前記パケットのクエリ時間またはクエリ持続時間のうちの少なくとも１つの指示とともにクエリを第２の装置から受信することと、
前記クエリ時間または前記クエリ持続時間のうちの前記少なくとも１つが、前記記憶された時間または前記記憶された持続時間のうちの前記少なくとも１つに実質的に一致すると判断することと、
前記クエリに応答して前記第２の装置にメッセージを送信することであって、前記メッセージが前記第１の装置を前記パケットのソースとして識別する、送信することと
を行うように実行可能な命令を備えるコンピュータ可読媒体を備える、ワイヤレス通信のためのコンピュータプログラム製品。
[７２］ワイヤレスノードであって、
少なくとも１つのアンテナと、
前記少なくとも１つのアンテナを介して、ある持続時間をもつ特定の時間においてパケットを送信するように構成された送信機と、
前記少なくとも１つのアンテナを介して、前記パケットのクエリ時間またはクエリ持続時間のうちの少なくとも１つの指示とともにクエリを装置から受信するように構成された受信機と、
処理システムであって、
前記パケットの前記特定の時間または前記ある持続時間のうちの少なくとも１つを記憶することと、
前記クエリ時間または前記クエリ持続時間のうちの前記少なくとも１つが、前記記憶された時間または前記記憶された持続時間のうちの前記少なくとも１つに実質的に一致すると判断することであって、前記送信機が、前記クエリに応答して前記装置にメッセージを送信するように構成され、前記メッセージが前記ワイヤレスノードを前記パケットのソースとして識別する、判断することと
を行うように構成された処理システムと
を備える、ワイヤレスノード。
[７３］ワイヤレス通信のための装置であって、
前記装置からデータフレームを送信するための最も高い送信電力を判断するように構成された処理システムと、
前記最も高い送信電力の指示とともにメッセージを送信するように構成された送信機と
を備える、装置。
[７４］前記メッセージがビーコンを備える、［７３］に記載の装置。
[７５］前記指示が前記ビーコン中に情報要素（ＩＥ）を備える、［７４］に記載の装置。
[７６］前記メッセージが、前記メッセージを送信するための第２の送信電力の別の指示を備え、前記送信機が、前記第２の送信電力を使用して前記メッセージを送信するように構成された、［７３］に記載の装置。
[７７］前記送信機が、テレビジョンホワイトスペース（ＴＶＷＳ）中の１つまたは複数のチャネルを介して前記メッセージを送信するように構成された、［７３］に記載の装置。
[７８］前記メッセージがブロードキャストメッセージを備える、［７３］に記載の装置。
[７９］ワイヤレス通信のための方法であって、
データフレームを送信するための最も高い送信電力を判断することと、
前記最も高い送信電力の指示とともにメッセージを送信することと
を備える、方法。
[８０］前記メッセージがビーコンを備える、［７９］に記載の方法。
[８１］前記指示が前記ビーコン中に情報要素（ＩＥ）を備える、［８０］に記載の方法。
[８２］前記メッセージが、前記メッセージを送信するための第２の送信電力の別の指示を備え、前記送信することが、前記第２の送信電力を使用して前記メッセージを送信することを備える、［７９］に記載の方法。
[８３］前記メッセージを送信することが、テレビジョンホワイトスペース（ＴＶＷＳ）中の１つまたは複数のチャネルを介して前記メッセージを送信することを備える、［７９］に記載の方法。
[８４］前記メッセージがブロードキャストメッセージを備える、［７９］に記載の方法。
[８５］ワイヤレス通信のための装置であって、
前記装置からデータフレームを送信するための最も高い送信電力を判断するための手段と、
前記最も高い送信電力の指示とともにメッセージを送信するための手段と
を備える、装置。
[８６］前記メッセージがビーコンを備える、［８５］に記載の装置。
[８７］前記指示が前記ビーコン中に情報要素（ＩＥ）を備える、［８６］に記載の装置。
[８８］前記メッセージが、前記メッセージを送信するための第２の送信電力の別の指示を備え、送信するための前記手段が、前記第２の送信電力を使用して前記メッセージを送信するように構成された、［８５］に記載の装置。
[８９］送信するための前記手段が、テレビジョンホワイトスペース（ＴＶＷＳ）中の１つまたは複数のチャネルを介して前記メッセージを送信するように構成された、［８５］に記載の装置。
[９０］前記メッセージがブロードキャストメッセージを備える、［８５］に記載の装置。
[９１］装置からデータフレームを送信するための最も高い送信電力を判断することと、
前記最も高い送信電力の指示とともにメッセージを前記装置から送信することと
を行うように実行可能な命令を備えるコンピュータ可読媒体を備える、ワイヤレス通信のためのコンピュータプログラム製品。
[９２］アクセスポイントであって、
少なくとも１つのアンテナと、
前記アクセスポイントからデータフレームを送信するための最も高い送信電力を判断するように構成された処理システムと、
前記少なくとも１つのアンテナを介して、前記最も高い送信電力の指示とともにメッセージを送信するように構成された送信機と
を備える、アクセスポイント。
[９３］ワイヤレス通信のための第１の装置であって、
第２の装置によってデータフレームを送信するために使用される最も高い送信電力の指示とともにメッセージを前記第２の装置から受信するように構成された受信機と、
前記最も高い送信電力に少なくとも部分的に基づいて、前記第２の装置が支配的干渉物であると判断するように構成された処理システムと
を備える、第１の装置。
[９４］前記処理システムが、前記メッセージに関連する受信電力を判断し、前記受信電力に基づいて経路損失を判断するように構成された、［９３］に記載の第１の装置。
[９５］前記処理システムは、前記最も高い送信電力と前記経路損失とに基づいて、前記第２の装置が支配的干渉物であると判断するように構成された、［９４］に記載の第１の装置。
[９６］前記支配的干渉物に達するのに十分な送信電力レベルで送信可（ＣＴＳ）メッセージを送信するように構成された送信機をさらに備える、［９３］に記載の第１の装置。
[９７］前記メッセージが、前記メッセージを送信するための第２の送信電力の別の指示を備え、前記処理システムが、前記メッセージの受信電力を判断し、前記受信電力と前記第２の送信電力とに基づいて経路損失を判断するように構成された、［９３］に記載の第１の装置。
[９８］前記処理システムは、前記最も高い送信電力と前記経路損失とに基づいて、前記第２の装置が支配的干渉物であると判断するように構成された、［９７］に記載の第１の装置。
[９９］前記受信機が、第３の装置によってデータフレームを送信するために使用される最も高い送信電力の別の指示とともに別のメッセージを前記第３の装置から受信するように構成され、前記処理システムは、前記第３の装置によって使用される前記最も高い送信電力に少なくとも部分的に基づいて、前記第３の装置が別の支配的干渉物であると判断するように構成された、［９３］に記載の第１の装置。
[１００］前記第３の装置に達するのに十分な第１の送信電力レベルと、前記第２の装置に達するのに十分な第２の送信電力レベルとのうちのより高い送信電力レベルで送信可（ＣＴＳ）メッセージを送信するように構成された送信機をさらに備える、［９９］に記載の第１の装置。
[１０１］前記受信機が、テレビジョンホワイトスペース（ＴＶＷＳ）中の１つまたは複数のチャネルを介して前記メッセージを受信するように構成された、［９３］に記載の第１の装置。
[１０２］ワイヤレス通信のための方法であって、
装置によってデータフレームを送信するために使用される最も高い送信電力の指示とともにメッセージを前記装置から受信することと、
前記最も高い送信電力に少なくとも部分的に基づいて、前記装置が支配的干渉物であると判断することと
を備える、方法。
[１０３］前記メッセージに関連する受信電力を判断することと、
前記受信電力に基づいて経路損失を判断することと
をさらに備える、［１０２］に記載の方法。
[１０４］前記装置が支配的干渉物であると判断することがまた、前記経路損失に基づく、［１０３］に記載の方法。
[１０５］前記支配的干渉物に達するのに十分な送信電力レベルで送信可（ＣＴＳ）メッセージを送信することをさらに備える、［１０２］に記載の方法。
[１０６］前記メッセージが、前記メッセージを送信するための第２の送信電力の別の指示を備え、前記方法が、
前記メッセージの受信電力を判断することと、
前記受信電力と前記第２の送信電力とに基づいて経路損失を判断することと
をさらに備える、［１０２］に記載の方法。
[１０７］前記装置が支配的干渉物であると判断することがまた、前記経路損失に基づく、［１０６］に記載の方法。
[１０８］第２の装置によってデータフレームを送信するために使用される最も高い送信電力の別の指示とともに別のメッセージを前記第２の装置から受信することと、
前記第２の装置によって使用される前記最も高い送信電力に少なくとも部分的に基づいて、前記第２の装置が別の支配的干渉物であると判断することと
をさらに備える、［１０２］に記載の方法。
[１０９］前記装置に達するのに十分な第１の送信電力レベルと、前記第２の装置に達するのに十分な第２の送信電力レベルとのうちのより高い送信電力レベルで送信可（ＣＴＳ）メッセージを送信することをさらに備える、［１０８］に記載の方法。
[１１０］前記メッセージを受信することが、テレビジョンホワイトスペース（ＴＶＷＳ）中の１つまたは複数のチャネルを介して前記メッセージを受信することを備える、［１０２］に記載の方法。
[１１１］ワイヤレス通信のための第１の装置であって、
第２の装置によってデータフレームを送信するために使用される最も高い送信電力の指示とともにメッセージを前記第２の装置から受信するための手段と、
前記最も高い送信電力に少なくとも部分的に基づいて、前記第２の装置が支配的干渉物であると判断するための手段と
を備える、第１の装置。
[１１２］前記メッセージに関連する受信電力を判断するための手段と、
前記受信電力に基づいて経路損失を判断するための手段と
をさらに備える、［１１１］に記載の第１の装置。
[１１３］前記第２の装置が支配的干渉物であると判断するための前記手段は、前記最も高い送信電力と前記経路損失とに基づいて、前記第２の装置が支配的干渉物であると判断するように構成された、［１１２］に記載の第１の装置。
[１１４］前記支配的干渉物に達するのに十分な送信電力レベルで送信可（ＣＴＳ）メッセージを送信するための手段をさらに備える、［１１１］に記載の第１の装置。
[１１５］前記メッセージが、前記メッセージを送信するための第２の送信電力の別の指示を備え、前記第１の装置が、
前記メッセージの受信電力を判断するための手段と、
前記受信電力と前記第２の送信電力とに基づいて経路損失を判断するための手段と
をさらに備える、［１１１］に記載の第１の装置。
[１１６］前記第２の装置が支配的干渉物であると判断するための前記手段は、前記最も高い送信電力と前記経路損失とに基づいて、前記第２の装置が支配的干渉物であると判断するように構成された、［１１５］に記載の第１の装置。
[１１７］受信するための前記手段が、第３の装置によってデータフレームを送信するために使用される最も高い送信電力の別の指示とともに別のメッセージを前記第３の装置から受信するように構成され、判断するための前記手段は、前記第３の装置によって使用される前記最も高い送信電力に少なくとも部分的に基づいて、前記第３の装置が別の支配的干渉物であると判断するように構成された、［１１１］に記載の第１の装置。
[１１８］前記第３の装置に達するのに十分な第１の送信電力レベルと、前記第２の装置に達するのに十分な第２の送信電力レベルとのうちのより高い送信電力レベルで送信可（ＣＴＳ）メッセージを送信するための手段をさらに備える、［１１７］に記載の第１の装置。
[１１９］受信するための前記手段が、テレビジョンホワイトスペース（ＴＶＷＳ）中の１つまたは複数のチャネルを介して前記メッセージを受信するように構成された、［１１１］に記載の第１の装置。
[１２０］装置によってデータフレームを送信するために使用される最も高い送信電力の指示とともにメッセージを前記装置から受信することと、
前記最も高い送信電力に少なくとも部分的に基づいて、前記装置が支配的干渉物であると判断することと
を行うように実行可能な命令を備えるコンピュータ可読媒体を備える、ワイヤレス通信のためのコンピュータプログラム製品。
[１２１］ワイヤレスノードであって、
少なくとも１つのアンテナと、
装置によってデータフレームを送信するために使用される最も高い送信電力の指示とともにメッセージを前記装置から前記少なくとも１つのアンテナを介して受信するように構成された受信機と、
前記最も高い送信電力に少なくとも部分的に基づいて、前記装置が支配的干渉物であると判断するように構成された処理システムと
を備える、ワイヤレスノード。
[１２２］ワイヤレス通信のための装置であって、
前記装置からデータフレームを送信するための第１の送信電力を判断するように構成された処理システムと、
第２の送信電力で制御または管理メッセージを送信するように構成された送信機であって、前記制御または管理メッセージが、前記第１の送信電力の第１の指示と、前記第２の送信電力の第２の指示とを備える、送信機と
を備える、装置。
[１２３］前記制御または管理メッセージが送信要求（ＲＴＳ）メッセージを備える、［１２２］に記載の装置。
[１２４］前記制御または管理メッセージが電力較正フレームを備える、［１２２］に記載の装置。
[１２５］前記第１の指示と前記第２の指示とのうちの１つが前記制御または管理メッセージ中に情報要素（ＩＥ）を備える、［１２２］に記載の装置。
[１２６］前記送信機が、テレビジョンホワイトスペース（ＴＶＷＳ）中の１つまたは複数のチャネルを介して前記制御または管理メッセージを送信するように構成された、［１２２］に記載の装置。
[１２７］ワイヤレス通信のための方法であって、
データフレームを送信するための第１の送信電力を判断することと、
第２の送信電力で制御または管理メッセージを送信することであって、前記制御または管理メッセージが、前記第１の送信電力の第１の指示と、前記第２の送信電力の第２の指示とを備える、送信することと
を備える、方法。
[１２８］前記制御または管理メッセージが送信要求（ＲＴＳ）メッセージを備える、［１２７］に記載の方法。
[１２９］前記制御または管理メッセージが電力較正フレームを備える、［１２７］に記載の方法。
[１３０］前記第１の指示と前記第２の指示とのうちの１つが前記制御または管理メッセージ中に情報要素（ＩＥ）を備える、［１２７］に記載の方法。
[１３１］前記制御または管理メッセージを送信することが、テレビジョンホワイトスペース（ＴＶＷＳ）中の１つまたは複数のチャネルを介して前記制御または管理メッセージを送信することを備える、［１２７］に記載の方法。
[１３２］ワイヤレス通信のための装置であって、
前記装置からデータフレームを送信するための第１の送信電力を判断するための手段と、
第２の送信電力で制御または管理メッセージを送信するための手段であって、前記制御または管理メッセージが、前記第１の送信電力の第１の指示と、前記第２の送信電力の第２の指示とを備える、送信するための手段と
を備える、装置。
[１３３］前記制御または管理メッセージが送信要求（ＲＴＳ）メッセージを備える、［１３２］に記載の装置。
[１３４］前記制御または管理メッセージが電力較正フレームを備える、［１３２］に記載の装置。
[１３５］前記第１の指示と前記第２の指示とのうちの１つが前記制御または管理メッセージ中に情報要素（ＩＥ）を備える、［１３２］に記載の装置。
[１３６］送信するための前記手段が、テレビジョンホワイトスペース（ＴＶＷＳ）中の１つまたは複数のチャネルを介して前記制御または管理メッセージを送信するように構成された、［１３２］に記載の装置。
[１３７］装置からデータフレームを送信するための第１の送信電力を判断することと、
第２の送信電力で制御または管理メッセージを送信することであって、前記制御または管理メッセージが、前記第１の送信電力の第１の指示と、前記第２の送信電力の第２の指示とを備える、送信することと
を行うように実行可能な命令を備えるコンピュータ可読媒体を備える、ワイヤレス通信のためのコンピュータプログラム製品。
[１３８］ワイヤレスノードであって、
少なくとも１つのアンテナと、
前記ワイヤレスノードからデータフレームを送信するための第１の送信電力を判断するように構成された処理システムと、
前記少なくとも１つのアンテナを介して第２の送信電力で制御または管理メッセージを送信するように構成された送信機であって、前記制御または管理メッセージが、前記第１の送信電力の第１の指示と、前記第２の送信電力の第２の指示とを備える、送信機と
を備える、ワイヤレスノード。
[１３９］ワイヤレス通信のための第１の装置であって、
第２の装置によってデータフレームを送信するために使用される第１の送信電力の第１の指示とともに制御または管理メッセージを前記第２の装置から受信するように構成された受信機と、
前記第１の送信電力に少なくとも部分的に基づいて、前記第２の装置が支配的干渉物であると判断するように構成された処理システムと
を備える、第１の装置。
[１４０］前記制御または管理メッセージが送信要求（ＲＴＳ）メッセージを備える、［１３９］に記載の第１の装置。
[１４１］前記制御または管理メッセージが電力較正フレームを備える、［１３９］に記載の第１の装置。
[１４２］前記制御または管理メッセージが、前記第２の装置によって前記制御または管理メッセージを送信するために使用される第２の送信電力の第２の指示を備える、［１３９］に記載の第１の装置。
[１４３］前記第１の指示と前記第２の指示とのうちの１つが前記制御または管理メッセージ中に情報要素（ＩＥ）を備える、［１４２］に記載の第１の装置。
[１４４］前記処理システムが、前記制御または管理メッセージの受信電力を判断し、前記受信電力と前記第２の送信電力とに基づいて経路損失を判断するように構成された、［１４２］に記載の第１の装置。
[１４５］前記処理システムは、前記第１の送信電力と前記経路損失とに基づいて、前記第２の装置が支配的干渉物であると判断するように構成された、［１４４］に記載の第１の装置。
[１４６］前記支配的干渉物に達するのに十分な送信電力レベルで送信可（ＣＴＳ）メッセージを送信するように構成された送信機をさらに備える、［１３９］に記載の第１の装置。
[１４７］前記受信機が、第３の装置によってデータフレームを送信するために使用される第３の送信電力の第３の指示とともに別の制御または管理メッセージを前記第３の装置から受信するように構成され、前記処理システムは、前記第３の送信電力に少なくとも部分的に基づいて、前記第３の装置が別の支配的干渉物であると判断するように構成された、［１３９］に記載の第１の装置。
[１４８］前記第３の装置に達するのに十分な第１の送信電力レベルと、前記第２の装置に達するのに十分な第２の送信電力レベルとのうちのより高い送信電力レベルで送信可（ＣＴＳ）メッセージを送信するように構成された送信機をさらに備える、［１４７］に記載の第１の装置。
[１４９］前記受信機が、テレビジョンホワイトスペース（ＴＶＷＳ）中の１つまたは複数のチャネルを介して前記制御または管理メッセージを受信するように構成された、［１３９］に記載の第１の装置。
[１５０］ワイヤレス通信のための方法であって、
装置によってデータフレームを送信するために使用される第１の送信電力の第１の指示とともに制御または管理メッセージを前記装置から受信することと、
前記第１の送信電力に少なくとも部分的に基づいて、前記装置が支配的干渉物であると判断することと
を備える、方法。
[１５１］前記制御または管理メッセージが送信要求（ＲＴＳ）メッセージを備える、［１５０］に記載の方法。
[１５２］前記制御または管理メッセージが電力較正フレームを備える、［１５０］に記載の方法。
[１５３］前記制御または管理メッセージが、前記装置によって前記制御または管理メッセージを送信するために使用される第２の送信電力の第２の指示を備える、［１５０］に記載の方法。
[１５４］前記第１の指示と前記第２の指示とのうちの１つが前記制御または管理メッセージ中に情報要素（ＩＥ）を備える、［１５３］に記載の方法。
[１５５］前記制御または管理メッセージの受信電力を判断することと、
前記受信電力と前記第２の送信電力とに基づいて経路損失を判断することと
をさらに備える、［１５３］に記載の方法。
[１５６］前記装置が支配的干渉物であると判断することがまた、前記経路損失に基づく、［１５５］に記載の方法。
[１５７］前記支配的干渉物に達するのに十分な送信電力レベルで送信可（ＣＴＳ）メッセージを送信することをさらに備える、［１５０］に記載の方法。
[１５８］第２の装置によってデータフレームを送信するために使用される第３の送信電力の第３の指示とともに別の制御または管理メッセージを前記第２の装置から受信することと、
前記第３の送信電力に少なくとも部分的に基づいて、前記第２の装置が別の支配的干渉物であると判断することと
をさらに備える、［１５０］に記載の方法。
[１５９］前記装置に達するのに十分な第１の送信電力レベルと、前記第２の装置に達するのに十分な第２の送信電力レベルとのうちのより高い送信電力レベルで送信可（ＣＴＳ）メッセージを送信することをさらに備える、［１５８］に記載の方法。
[１６０］前記制御または管理メッセージを受信することが、テレビジョンホワイトスペース（ＴＶＷＳ）中の１つまたは複数のチャネルを介して前記制御または管理メッセージを受信することを備える、［１５０］に記載の方法。
[１６１］ワイヤレス通信のための第１の装置であって、
第２の装置によってデータフレームを送信するために使用される第１の送信電力の第１の指示とともに制御または管理メッセージを前記第２の装置から受信するための手段と、
前記第１の送信電力に少なくとも部分的に基づいて、前記第２の装置が支配的干渉物であると判断するための手段と
を備える、第１の装置。
[１６２］前記制御または管理メッセージが送信要求（ＲＴＳ）メッセージを備える、［１６１］に記載の第１の装置。
[１６３］前記制御または管理メッセージが電力較正フレームを備える、［１６１］に記載の第１の装置。
[１６４］前記制御または管理メッセージが、前記第２の装置によって前記制御または管理メッセージを送信するために使用される第２の送信電力の第２の指示を備える、［１６１］に記載の第１の装置。
[１６５］前記第１の指示と前記第２の指示とのうちの１つが前記制御または管理メッセージ中に情報要素（ＩＥ）を備える、［１６４］に記載の第１の装置。
[１６６］前記制御または管理メッセージの受信電力を判断するための手段と、
前記受信電力と前記第２の送信電力とに基づいて経路損失を判断するための手段と
をさらに備える、［１６４］に記載の第１の装置。
[１６７］前記第２の装置が支配的干渉物であると判断するための前記手段は、前記第１の送信電力と前記経路損失とに基づいて、前記第２の装置が支配的干渉物であると判断するように構成された、［１６６］に記載の第１の装置。
[１６８］前記支配的干渉物に達するのに十分な送信電力レベルで送信可（ＣＴＳ）メッセージを送信するための手段をさらに備える、［１６１］に記載の第１の装置。
[１６９］受信するための前記手段が、第３の装置によってデータフレームを送信するために使用される第３の送信電力の第３の指示とともに別の制御または管理メッセージを前記第３の装置から受信するように構成され、前記第２の装置が支配的干渉物であると判断するための前記手段は、前記第３の送信電力に少なくとも部分的に基づいて、前記第３の装置が別の支配的干渉物であると判断するように構成された、［１６１］に記載の第１の装置。
[１７０］前記第３の装置に達するのに十分な第１の送信電力レベルと、前記第２の装置に達するのに十分な第２の送信電力レベルとのうちのより高い送信電力レベルで送信可（ＣＴＳ）メッセージを送信するための手段をさらに備える、［１６９］に記載の第１の装置。
[１７１］受信するための前記手段が、テレビジョンホワイトスペース（ＴＶＷＳ）中の１つまたは複数のチャネルを介して前記制御または管理メッセージを受信するように構成された、［１６１］に記載の第１の装置。
[１７２］装置によってデータフレームを送信するために使用される第１の送信電力の第１の指示とともに制御または管理メッセージを前記装置から受信することと、
前記第１の送信電力に少なくとも部分的に基づいて、前記装置が支配的干渉物であると判断することと
を行うように実行可能な命令を備えるコンピュータ可読媒体を備える、ワイヤレス通信のためのコンピュータプログラム製品。
[１７３］ワイヤレスノードであって、
少なくとも１つのアンテナと、
装置によってデータフレームを送信するために使用される第１の送信電力の第１の指示とともに制御または管理メッセージを前記装置から前記少なくとも１つのアンテナを介して受信するように構成された受信機と、
前記第１の送信電力に少なくとも部分的に基づいて、前記装置が支配的干渉物であると判断するように構成された処理システムと
を備える、ワイヤレスノード。
[１７４］ワイヤレス通信のための装置であって、
前記装置からデータフレームを送信するための変調およびコーディング方式（ＭＣＳ）を判断するように構成された処理システムと、
前記ＭＣＳの指示を備える要求メッセージを送信するよう構成された送信機と
を備える、装置。
[１７５］前記ＭＣＳの前記指示が前記要求メッセージ中に情報要素（ＩＥ）を備える、［１７４］に記載の装置。
[１７６］リンクマージンの指示を備える応答メッセージを受信するように構成された受信機であって、前記リンクマージンが前記ＭＣＳに基づく、受信機をさらに備える、［１７４］に記載の装置。
[１７７］前記送信機が、前記ＭＣＳと前記リンクマージンに基づく送信電力とを使用してデータを送信するように構成された、［１７６］に記載の装置。
[１７８］前記送信機が、テレビジョンホワイトスペース（ＴＶＷＳ）中の１つまたは複数のチャネルを介して前記要求メッセージを送信するように構成された、［１７４］に記載の装置。
[１７９］ワイヤレス通信のための方法であって、
データフレームを送信するための変調およびコーディング方式（ＭＣＳ）を判断することと、
前記ＭＣＳの指示を備える要求メッセージを送信することと
を備える、方法。
[１８０］前記ＭＣＳの前記指示が前記要求メッセージ中に情報要素（ＩＥ）を備える、［１７９］に記載の方法。
[１８１］リンクマージンの指示を備える応答メッセージを受信することであって、前記リンクマージンが前記ＭＣＳに基づく、受信することをさらに備える、［１７９］に記載の方法。
[１８２］前記ＭＣＳと前記リンクマージンに基づく送信電力とを使用して送信データを送信することをさらに備える、［１８１］に記載の方法。
[１８３］前記要求メッセージを送信することが、テレビジョンホワイトスペース（ＴＶＷＳ）中の１つまたは複数のチャネルを介して前記要求メッセージを送信することを備える、［１７９］に記載の方法。
[１８４］ワイヤレス通信のための装置であって、
前記装置からデータフレームを送信するための変調およびコーディング方式（ＭＣＳ）を判断するための手段と、
前記ＭＣＳの指示を備える要求メッセージを送信するための手段と
を備える、装置。
[１８５］前記ＭＣＳの前記指示が前記要求メッセージ中に情報要素（ＩＥ）を備える、［１８４］に記載の装置。
[１８６］リンクマージンの指示を備える応答メッセージを受信するための手段であって、前記リンクマージンが前記ＭＣＳに基づく、受信するための手段をさらに備える、［１８４］に記載の装置。
[１８７］送信するための前記手段が、前記ＭＣＳと前記リンクマージンに基づく送信電力とを使用してデータを送信するように構成された、［１８６］に記載の装置。
[１８８］送信するための前記手段が、テレビジョンホワイトスペース（ＴＶＷＳ）中の１つまたは複数のチャネルを介して前記要求メッセージを送信するように構成された、［１８４］に記載の装置。
[１８９］装置からデータフレームを送信するための変調およびコーディング方式（ＭＣＳ）を判断することと、
前記ＭＣＳの指示を備える要求メッセージを送信することと
を行うように実行可能な命令を備えるコンピュータ可読媒体を備える、ワイヤレス通信のためのコンピュータプログラム製品。
[１９０］ワイヤレスノードであって、
少なくとも１つのアンテナと、
前記ワイヤレスノードからデータフレームを送信するための変調およびコーディング方式（ＭＣＳ）を判断するように構成された処理システムと、
前記少なくとも１つのアンテナを介して、前記ＭＣＳの指示を備える要求メッセージを送信するよう構成された送信機と
を備える、ワイヤレスノード。
[１９１］ワイヤレス通信のための装置であって、
受信されるべきデータフレームを送信するための変調およびコーディング方式（ＭＣＳ）の指示を備える要求メッセージを受信するように構成された受信機と、
前記ＭＣＳに基づいてリンクマージンを判断するように構成された処理システムと、
前記リンクマージンの指示とともに応答メッセージを送信するように構成された送信機と
を備える、装置。
[１９２］前記ＭＣＳの前記指示が前記要求メッセージ中に情報要素（ＩＥ）を備える、［１９１］に記載の装置。
[１９３］前記処理システムが、信号対干渉雑音比（ＳＩＮＲ）と経路損失とを判断するように構成され、前記リンクマージンが前記ＭＣＳと前記ＳＩＮＲと前記経路損失とに基づく、［１９１］に記載の装置。
[１９４］前記処理システムが、
前記要求メッセージに関連する受信電力を判断することと、
前記要求メッセージに関連する前記受信電力に基づいて電力マージンを判断することと、
前記リンクマージンを取得するためにファクタによって前記電力マージンを調整することと
を行うように構成された、［１９１］に記載の装置。
[１９５］前記ファクタが許容干渉ファクタである、［１９４］に記載の装置。
[１９６］前記送信機が、テレビジョンホワイトスペース（ＴＶＷＳ）中の１つまたは複数のチャネルを介して前記応答メッセージを送信するように構成された、［１９１］に記載の装置。
[１９７］ワイヤレス通信のための方法であって、
受信されるべきデータフレームを送信するための変調およびコーディング方式（ＭＣＳ）の指示を備える要求メッセージを受信することと、
前記ＭＣＳに基づいてリンクマージンを判断することと、
前記リンクマージンの指示とともに応答メッセージを送信することと
を備える、方法。
[１９８］前記ＭＣＳの前記指示が前記要求メッセージ中に情報要素（ＩＥ）を備える、［１９７］に記載の方法。
[１９９］信号対干渉雑音比（ＳＩＮＲ）と経路損失とを判断することであって、前記リンクマージンが前記ＭＣＳと前記ＳＩＮＲと前記経路損失とに基づく、判断することをさらに備える、［１９７］に記載の方法。
[２００］前記要求メッセージに関連する受信電力を判断することと、
前記要求メッセージに関連する前記受信電力に基づいて電力マージンを判断することと、
前記リンクマージンを取得するためにファクタによって前記電力マージンを調整することと
をさらに備える、［１９７］に記載の方法。
[２０１］前記ファクタが許容干渉ファクタである、［２００］に記載の方法。
[２０２］前記応答メッセージを送信することが、テレビジョンホワイトスペース（ＴＶＷＳ）中の１つまたは複数のチャネルを介して前記応答メッセージを送信することを備える、［１９７］に記載の方法。
[２０３］ワイヤレス通信のための装置であって、
受信されるべきデータフレームを送信するための変調およびコーディング方式（ＭＣＳ）の指示を備える要求メッセージを受信するための手段と、
前記ＭＣＳに基づいてリンクマージンを判断するための手段と、
前記リンクマージンの指示とともに応答メッセージを送信するための手段と
を備える、装置。
[２０４］前記ＭＣＳの前記指示が前記要求メッセージ中に情報要素（ＩＥ）を備える、［２０３］に記載の装置。
[２０５］信号対干渉雑音比（ＳＩＮＲ）と経路損失とを判断するための手段であって、前記リンクマージンが前記ＭＣＳと前記ＳＩＮＲと前記経路損失とに基づく、判断するための手段をさらに備える、［２０３］に記載の装置。
[２０６］前記要求メッセージに関連する受信電力を判断するための手段と、
前記要求メッセージに関連する前記受信電力に基づいて電力マージンを判断するための手段と、
前記リンクマージンを取得するためにファクタによって前記電力マージンを調整するための手段と
をさらに備える、［２０３］に記載の装置。
[２０７］前記ファクタが許容干渉ファクタである、［２０６］に記載の装置。
[２０８］送信するための前記手段が、テレビジョンホワイトスペース（ＴＶＷＳ）中の１つまたは複数のチャネルを介して前記応答メッセージを送信するように構成された、［２０３］に記載の装置。
[２０９］受信されるべきデータフレームを送信するための変調およびコーディング方式（ＭＣＳ）の指示を備える要求メッセージを受信することと、
前記ＭＣＳに基づいてリンクマージンを判断することと、
前記リンクマージンの指示とともに応答メッセージを送信することと
を行うように実行可能な命令を備えるコンピュータ可読媒体を備える、ワイヤレス通信のためのコンピュータプログラム製品。
[２１０］ワイヤレスノードであって、
少なくとも１つのアンテナと、
受信されるべきデータフレームを送信するための変調およびコーディング方式（ＭＣＳ）の指示を備える要求メッセージを前記少なくとも１つのアンテナを介して受信するように構成された受信機と、
前記ＭＣＳに基づいてリンクマージンを判断するように構成された処理システムと、
前記少なくとも１つのアンテナを介して、前記リンクマージンの指示とともに応答メッセージを送信するように構成された送信機と
を備える、ワイヤレスノード。
【図１】
0005931931.tif 000002
【図２】
0005931931.tif 000003
【図３】
0005931931.tif 000004
【図４】
0005931931.tif 000005
【図５】
0005931931.tif 000006
【図６】
0005931931.tif 000007
【図７】
0005931931.tif 000008
【図７Ａ】
0005931931.tif 000009
【図８】
0005931931.tif 000010
【図９】
0005931931.tif 000011
【図１０】
0005931931.tif 000012
【図１１】
0005931931.tif 000013
【図１２】
0005931931.tif 000014
【図１２Ａ】
0005931931.tif 000015
【図１３】
0005931931.tif 000016
【図１３Ａ】
0005931931.tif 000017
【図１４Ａ】
0005931931.tif 000018
【図１４Ｂ】
0005931931.tif 000019
【図１５】
0005931931.tif 000020
【図１５Ａ】
0005931931.tif 000021
【図１６】
0005931931.tif 000022
【図１６Ａ】
0005931931.tif 000023
【図１７】
0005931931.tif 000024
【図１８】
0005931931.tif 000025
【図１９】
0005931931.tif 000026
【図１９Ａ】
0005931931.tif 000027
【図２０】
0005931931.tif 000028
【図２０Ａ】
0005931931.tif 000029
【図２１】
0005931931.tif 000030
【図２２】
0005931931.tif 000031
【図２２Ａ】
0005931931.tif 000032
【図２３】
0005931931.tif 000033
【図２３Ａ】
0005931931.tif 000034